(57)【要約】  このシステム１はユーザ端末２とアプリケーションサーバシステム（ＡＰシステム）４と接続制御システム３とを含む。ユーザ端末２は予め記憶された端末特定情報を接続制御システム３へ送信する。接続制御システム３は受信した端末特定情報に基づいてＡＰシステム４とユーザ端末２との間の接続を確立する。ＡＰシステム４は接続が確立されたユーザ端末２へコンテンツデータを送信する。ユーザ端末２はユーザを識別するためのユーザ識別情報とコンテンツ記憶処理要求とを接続制御システム３を介してＡＰシステム４へ送信する。ＡＰシステム４は受信したユーザ識別情報と受信したコンテンツ記憶処理要求により特定されるコンテンツデータとを対応付けて記憶装置に記憶させる。
2010029674.tif 000002
【特許請求の範囲】
【請求項１】
ユーザ端末とアプリケーションサーバシステムと接続制御システムとを含み、
前記ユーザ端末は、予め記憶している情報であって端末を特定するための情報である端末特定情報を前記接続制御システムへ送信するように構成され、
前記接続制御システムは、前記ユーザ端末により送信された端末特定情報を受信し当該受信した端末特定情報に基づいて前記アプリケーションサーバシステムと前記ユーザ端末との間の接続を確立するように構成され、
前記アプリケーションサーバシステムは、前記接続制御システムにより接続が確立された前記ユーザ端末へ、コンテンツを表すコンテンツデータを送信するように構成され、
更に、
前記ユーザ端末は、当該ユーザ端末のユーザを識別するための情報であるユーザ識別情報と、前記コンテンツを特定するためのコンテンツ特定情報を含み且つ当該コンテンツを表すコンテンツデータを記憶するための処理を前記アプリケーションサーバシステムに対して要求する処理要求としてのコンテンツ記憶処理要求と、を前記接続制御システムへ送信するように構成され、
前記接続制御システムは、前記ユーザ端末により送信されたユーザ識別情報及びコンテンツ記憶処理要求を受信し、当該受信したユーザ識別情報及びコンテンツ記憶処理要求を前記アプリケーションサーバシステムへ送信するように構成され、
前記アプリケーションサーバシステムは、前記接続制御システムにより送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行うように構成されたコンテンツ配信システム。
【請求項２】
請求項１に記載のコンテンツ配信システムであって、
前記ユーザ端末は、当該ユーザ端末のユーザにより入力されたユーザ認証用情報を前記接続制御システムへ送信するように構成され、
前記接続制御システムは、前記ユーザ端末により送信されたユーザ認証用情報を受信するように構成され、
ユーザ認証用基準情報を予め記憶するユーザ認証用基準情報記憶手段と、
前記接続制御システムにより受信されたユーザ認証用情報と、前記ユーザ認証用基準情報記憶手段により記憶されているユーザ認証用基準情報と、が対応しているか否かを判定することにより、前記受信されたユーザ識別情報により識別されるユーザが正当なユーザであるか否かを認証するユーザ認証手段と、を備え、
前記アプリケーションサーバシステムは、前記ユーザ認証手段により、前記受信されたユーザ識別情報により識別されるユーザが正当なユーザであると認証された場合に、当該ユーザ識別情報及び前記コンテンツ記憶処理要求に基づく前記処理を行うように構成されたコンテンツ配信システム。
【請求項３】
請求項１又は請求項２に記載のコンテンツ配信システムであって、
前記ユーザ端末は、当該ユーザ端末のユーザを識別するための情報であるユーザ識別情報と、前記記憶されているコンテンツデータに基づく処理を前記アプリケーションサーバシステムに対して要求する記憶コンテンツ処理要求と、を前記接続制御システムへ送信するように構成され、
前記接続制御システムは、前記ユーザ端末により送信されたユーザ識別情報及び記憶コンテンツ処理要求を受信し、当該受信したユーザ識別情報及び記憶コンテンツ処理要求を前記アプリケーションサーバシステムへ送信するように構成され、
前記アプリケーションサーバシステムは、前記接続制御システムにより送信されたユーザ識別情報及び記憶コンテンツ処理要求を受信し、当該受信したユーザ識別情報及び記憶コンテンツ処理要求に基づく処理を行うように構成されたコンテンツ配信システム。
【請求項４】
請求項３に記載のコンテンツ配信システムであって、
前記記憶コンテンツ処理要求は、前記コンテンツを特定するためのコンテンツ特定情報を含むコンテンツ送信処理要求であり、
前記アプリケーションサーバシステムは、前記コンテンツ送信処理要求を受信した場合、当該受信したコンテンツ送信処理要求により特定されるコンテンツを表すコンテンツデータが前記受信したユーザ識別情報と対応付けて記憶されているときに当該コンテンツデータを前記ユーザ端末へ送信する前記処理を行うように構成されたコンテンツ配信システム。
【請求項５】
請求項３又は請求項４に記載のコンテンツ配信システムであって、
前記記憶コンテンツ処理要求は、コンテンツ一覧送信処理要求であり、
前記アプリケーションサーバシステムは、前記コンテンツ一覧送信処理要求を受信した場合、前記受信したユーザ識別情報と対応付けて記憶されているコンテンツデータの一覧を表すコンテンツ一覧情報を前記ユーザ端末へ送信する前記処理を行うように構成されたコンテンツ配信システム。
【請求項６】
請求項３乃至請求項５のいずれか一項に記載のコンテンツ配信システムであって、
前記記憶コンテンツ処理要求は、前記コンテンツを特定するためのコンテンツ特定情報を含むコンテンツ削除処理要求であり、
前記アプリケーションサーバシステムは、前記コンテンツ削除処理要求を受信した場合、当該受信したコンテンツ削除処理要求により特定されるコンテンツを表すコンテンツデータが前記受信したユーザ識別情報と対応付けて記憶されているときに当該コンテンツデータを前記記憶装置から削除する前記処理を行うように構成されたコンテンツ配信システム。
【請求項７】
請求項３乃至請求項６のいずれか一項に記載のコンテンツ配信システムであって、
前記記憶コンテンツ処理要求は、コンテンツ送信中止処理要求であり、
前記アプリケーションサーバシステムは、前記コンテンツ送信中止処理要求を受信した場合、送信中のコンテンツデータが前記受信したユーザ識別情報と対応付けて記憶されているときに前記ユーザ端末への当該コンテンツデータの送信を中止する前記処理を行うように構成されたコンテンツ配信システム。
【請求項８】
請求項３乃至請求項７のいずれか一項に記載のコンテンツ配信システムであって、
前記アプリケーションサーバシステムは、外部から前記コンテンツデータを受信し、当該受信したコンテンツデータを前記記憶装置に記憶させるように構成され、
前記記憶コンテンツ処理要求は、コンテンツ記憶中止処理要求であり、
前記アプリケーションサーバシステムは、前記コンテンツ記憶中止処理要求を受信した場合、コンテンツデータの一部が前記受信したユーザ識別情報と対応付けて記憶されているときに当該コンテンツデータを前記記憶装置に記憶させる前記処理を中止するように構成されたコンテンツ配信システム。
【請求項９】
請求項１乃至請求項８のいずれか一項に記載のコンテンツ配信システムであって、
前記コンテンツ特定情報は、前記コンテンツデータの記憶を開始する記憶開始日時と、前記コンテンツデータの記憶を終了する記憶終了日時と、を含み、
前記アプリケーションサーバシステムは、前記コンテンツ記憶処理要求を受信した場合に、当該受信したコンテンツ記憶処理要求に含まれる記憶開始日時及び記憶終了日時を含む予約情報と、前記受信されたユーザ識別情報と、を対応付けて前記記憶装置に記憶させるように構成されたコンテンツ配信システム。
【請求項１０】
請求項９に記載のコンテンツ配信システムであって、
前記ユーザ端末は、前記ユーザ識別情報と、前記記憶されている予約情報に基づく処理を前記アプリケーションサーバシステムに対して要求する予約一覧送信処理要求と、を前記接続制御システムへ送信するように構成され、
前記接続制御システムは、前記ユーザ端末により送信されたユーザ識別情報及び予約一覧送信処理要求を受信し、当該受信したユーザ識別情報及び予約一覧送信処理要求を前記アプリケーションサーバシステムへ送信するように構成され、
前記アプリケーションサーバシステムは、前記接続制御システムにより送信されたユーザ識別情報及び予約一覧送信処理要求を受信し、前記記憶されている予約情報のうちの、前記受信したユーザ識別情報と対応付けられた予約情報の一覧を表す予約一覧情報を前記ユーザ端末へ送信する処理を行うように構成されたコンテンツ配信システム。
【請求項１１】
請求項９又は請求項１０に記載のコンテンツ配信システムであって、
前記ユーザ端末は、前記ユーザ識別情報と、前記記憶されている予約情報を特定する予約情報特定情報及び当該予約情報の編集内容を表す編集内容情報を含む予約編集処理要求と、を前記接続制御システムへ送信するように構成され、
前記接続制御システムは、前記ユーザ端末により送信されたユーザ識別情報及び予約編集処理要求を受信し、当該受信したユーザ識別情報及び予約編集処理要求を前記アプリケーションサーバシステムへ送信するように構成され、
前記アプリケーションサーバシステムは、前記接続制御システムにより送信されたユーザ識別情報及び予約編集処理要求を受信し、前記記憶されている予約情報のうちの当該受信した予約編集処理要求により特定される予約情報と前記受信したユーザ識別情報とが対応付けられているときに、当該受信した予約編集処理要求に含まれる編集内容情報に基づいて当該予約情報を編集する処理を行うように構成されたコンテンツ配信システム。
【請求項１２】
請求項１乃至請求項１１のいずれか一項に記載のコンテンツ配信システムであって、
前記アプリケーションサーバシステムは、
前記記憶されているコンテンツデータを共有するユーザを識別するための共有ユーザ識別情報を、当該コンテンツデータと対応付けて記憶するように構成され、更に、
前記受信した記憶コンテンツ処理要求に基づく処理の対象となるコンテンツデータと、前記受信したユーザ識別情報と同一の、ユーザ識別情報又は共有ユーザ識別情報と、が対応付けて記憶されている場合、当該処理を行うように構成されたコンテンツ配信システム。
【請求項１３】
ユーザ端末（Ｕｓｅｒ  Ｅｑｕｉｐｍｅｎｔ）とアプリケーションサーバシステムと接続制御システムとを含み、
前記ユーザ端末は、予め記憶している情報であって端末を特定するための情報である端末特定情報を前記接続制御システムへ送信するように構成され、
前記接続制御システムは、前記ユーザ端末により送信された端末特定情報を受信し当該受信した端末特定情報に基づいて前記アプリケーションサーバシステムと前記ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
前記アプリケーションサーバシステムは、
前記接続制御システムにより接続が確立された前記ユーザ端末へ、コンテンツを表すコンテンツデータを送信するメディア機能部（Ｍｅｄｉａ  Ｆｕｎｃｔｉｏｎｓ）と、
前記メディア機能部により提供されるサービスを制御するサービス制御機能部（Ｓｅｒｖｉｃｅ  Ｃｏｎｔｒｏｌ  Ｆｕｎｃｔｉｏｎｓ）と、
前記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備え、
更に、
前記ユーザ端末は、当該ユーザ端末のユーザを識別するための情報であるユーザ識別情報と、前記コンテンツを特定するためのコンテンツ特定情報を含み且つ当該コンテンツを表すコンテンツデータを記憶するための処理を前記アプリケーションサーバシステムに対して要求する処理要求としてのコンテンツ記憶処理要求と、を前記コアＩＭＳ部へ送信するように構成され、
前記コアＩＭＳ部は、前記ユーザ端末により送信されたユーザ識別情報及びコンテンツ記憶処理要求を受信し、当該受信したユーザ識別情報及びコンテンツ記憶処理要求を前記アプリケーションサーバシステムへ送信するように構成され、
前記アプリケーションサーバシステムは、前記コアＩＭＳ部により送信されたユーザ識別情報及びコンテンツ記憶処理要求を受信するように構成され、
前記メディア機能部は、前記コンテンツデータを記憶するように構成され、
前記サービス制御機能部は、前記受信されたユーザ識別情報と、前記メディア機能部により記憶されているコンテンツデータのうちの前記受信されたコンテンツ記憶処理要求により特定されるコンテンツを表すコンテンツデータを識別するためのコンテンツデータ識別情報と、を対応付けて前記ユーザプロファイルサーバ機能部に記憶させる処理を行うように構成されたコンテンツ配信システム。
【請求項１４】
請求項１３に記載のコンテンツ配信システムであって、
前記ユーザ端末は、当該ユーザ端末のユーザにより入力されたユーザ認証用情報を前記コアＩＭＳ部へ送信するように構成され、
前記コアＩＭＳ部は、前記ユーザ端末により送信されたユーザ認証用情報を受信するように構成され、
前記コアＩＭＳ部又は前記ユーザプロファイルサーバ機能部は、ユーザ認証用基準情報を予め記憶するように構成され、
前記コアＩＭＳ部又は前記サービス制御機能部は、前記コアＩＭＳ部により受信されたユーザ認証用情報と、前記記憶されているユーザ認証用基準情報と、が対応しているか否かを判定することにより、前記受信されたユーザ識別情報により識別されるユーザが正当なユーザであるか否かを認証するように構成され、
前記サービス制御機能部は、前記受信されたユーザ識別情報により識別されるユーザが正当なユーザであると認証された場合に、当該ユーザ識別情報及び前記コンテンツ記憶処理要求に基づく前記処理を行うように構成されたコンテンツ配信システム。
【請求項１５】
請求項１３又は請求項１４に記載のコンテンツ配信システムであって、
前記サービス制御機能部は、前記コアＩＭＳ部により送信されたユーザ識別情報及びコンテンツ記憶処理要求を受信し、当該受信したコンテンツ記憶処理要求に応じてコンテンツ記憶処理指示を前記コアＩＭＳ部へ送信するように構成され、
前記コアＩＭＳ部は、前記サービス制御機能部により送信されたコンテンツ記憶処理指示を受信し、当該受信したコンテンツ記憶処理指示を前記メディア機能部へ送信するように構成され、
前記メディア機能部は、前記コアＩＭＳ部により送信されたコンテンツ記憶処理指示を受信し、当該受信したコンテンツ記憶処理指示により特定されるコンテンツを表すコンテンツデータを記憶するように構成され、
前記サービス制御機能部は、前記受信されたユーザ識別情報と、前記メディア機能部により記憶されているコンテンツデータのうちの前記受信されたコンテンツ記憶処理要求により特定されるコンテンツを表すコンテンツデータを識別するためのコンテンツデータ識別情報と、を対応付けて前記ユーザプロファイルサーバ機能部に記憶させるように構成されたコンテンツ配信システム。
【請求項１６】
請求項１３又は請求項１４に記載のコンテンツ配信システムであって、
前記サービス制御機能部は、前記コアＩＭＳ部により送信されたユーザ識別情報及びコンテンツ記憶処理要求を受信し、当該受信したコンテンツ記憶処理要求をコンテンツ記憶処理指示として前記メディア機能部へ送信するように構成され、
前記メディア機能部は、前記サービス制御機能部により送信されたコンテンツ記憶処理指示を受信し、当該受信したコンテンツ記憶処理指示により特定されるコンテンツを表すコンテンツデータを記憶するように構成され、
前記サービス制御機能部は、前記受信されたユーザ識別情報と、前記メディア機能部により記憶されているコンテンツデータのうちの前記受信されたコンテンツ記憶処理要求により特定されるコンテンツを表すコンテンツデータを識別するためのコンテンツデータ識別情報と、を対応付けて前記ユーザプロファイルサーバ機能部に記憶させるように構成されたコンテンツ配信システム。
【請求項１７】
ユーザ端末が、予め記憶している情報であって端末を特定するための情報である端末特定情報を接続制御システムへ送信し、
前記接続制御システムが、前記ユーザ端末により送信された端末特定情報を受信し当該受信した端末特定情報に基づいてアプリケーションサーバシステムと当該ユーザ端末との間の接続を確立し、
前記アプリケーションサーバシステムが、前記接続制御システムにより接続が確立された前記ユーザ端末へ、コンテンツを表すコンテンツデータを送信するとともに、
更に、
前記ユーザ端末が、当該ユーザ端末のユーザを識別するための情報であるユーザ識別情報と、前記コンテンツを特定するためのコンテンツ特定情報を含み且つ当該コンテンツを表すコンテンツデータを記憶するための処理を前記アプリケーションサーバシステムに対して要求する処理要求としてのコンテンツ記憶処理要求と、を前記接続制御システムへ送信し、
前記接続制御システムが、前記ユーザ端末により送信されたユーザ識別情報及びコンテンツ記憶処理要求を受信し、当該受信したユーザ識別情報及びコンテンツ記憶処理要求を前記アプリケーションサーバシステムへ送信し、
前記アプリケーションサーバシステムが、前記接続制御システムにより送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行う、コンテンツ配信方法。
【請求項１８】
請求項１７に記載のコンテンツ配信方法であって、
前記ユーザ端末が、当該ユーザ端末のユーザにより入力されたユーザ認証用情報を前記接続制御システムへ送信し、
前記接続制御システムが、前記ユーザ端末により送信されたユーザ認証用情報を受信し、
予め記憶されたユーザ認証用基準情報と、前記接続制御システムにより受信されたユーザ認証用情報と、が対応しているか否かを判定することにより、前記受信されたユーザ識別情報により識別されるユーザが正当なユーザであるか否かを認証し、
前記受信されたユーザ識別情報により識別されるユーザが正当なユーザであると認証された場合に、当該ユーザ識別情報及び前記コンテンツ記憶処理要求に基づく前記処理を行う、コンテンツ配信方法。
【請求項１９】
接続制御システムによってユーザ端末との間の接続が確立された場合に、当該ユーザ端末へ、コンテンツを表すコンテンツデータを送信するコンテンツ配信手段と、
前記ユーザ端末のユーザを識別するためのユーザ識別情報と、前記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から前記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を備えるアプリケーションサーバシステム。
【請求項２０】
請求項１９に記載のアプリケーションサーバシステムであって、
前記ユーザ端末のユーザにより入力されたユーザ認証用情報を当該ユーザ端末から前記接続制御システムを介して受信し、当該受信したユーザ認証用情報と、予め記憶されたユーザ認証用基準情報と、が対応しているか否かを判定することにより、前記受信したユーザ識別情報により識別されるユーザが正当なユーザであるか否かを認証するユーザ認証手段を備え、
前記コンテンツ記憶処理手段は、前記ユーザ認証手段により、前記受信されたユーザ識別情報により識別されるユーザが正当なユーザであると認証された場合に、当該ユーザ識別情報及び前記コンテンツ記憶処理要求に基づく前記処理を行うように構成されたアプリケーションサーバシステム。
【請求項２１】
アプリケーションサーバシステムに、
接続制御システムによってユーザ端末との間の接続が確立された場合に、当該ユーザ端末へ、コンテンツを表すコンテンツデータを送信するコンテンツ配信手段と、
前記ユーザ端末のユーザを識別するためのユーザ識別情報と、前記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から前記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を実現させるためのプログラム。
【請求項２２】
請求項２１に記載のプログラムであって、
前記アプリケーションサーバシステムに、更に、
前記ユーザ端末のユーザにより入力されたユーザ認証用情報を当該ユーザ端末から前記接続制御システムを介して受信し、当該受信したユーザ認証用情報と、予め記憶されたユーザ認証用基準情報と、が対応しているか否かを判定することにより、前記受信したユーザ識別情報により識別されるユーザが正当なユーザであるか否かを認証するユーザ認証手段を実現させるとともに、
前記コンテンツ記憶処理手段は、前記ユーザ認証手段により、前記受信されたユーザ識別情報により識別されるユーザが正当なユーザであると認証された場合に、当該ユーザ識別情報及び前記コンテンツ記憶処理要求に基づく前記処理を行うように構成されたプログラム。
【発明の詳細な説明】
【技術分野】
【０００１】
本発明は、コンテンツを表すコンテンツデータをユーザ端末へ送信するコンテンツ配信システムに関する。
【背景技術】
【０００２】
コンテンツを表すコンテンツデータをＩＰ（Ｉｎｔｅｒｎｅｔ  Ｐｒｏｔｏｃｏｌ）網を介してユーザ端末へ送信することによりコンテンツ（例えば、動画、即ち、テレビ番組）を放送するコンテンツ配信システムが知られている。【０００３】
この種のコンテンツ配信システムの一つとして特許文献１に記載のシステムは、コンテンツデータを記憶する記憶装置を備える。このコンテンツ配信システムは、ユーザ端末から送信された要求に応じて、コンテンツデータを記憶装置に記憶させる。更に、コンテンツ配信システムは、ユーザ端末から送信された要求に応じて、記憶されているコンテンツデータをユーザ端末へ送信する。これにより、ユーザ端末は、受信したコンテンツデータが表すコンテンツを出力する。その結果、ユーザは、過去に放送されたコンテンツを視聴することができる。
【先行技術文献】
【特許文献】
【０００４】
【特許文献１】特開２００８−１４７７５９号公報
【発明の概要】
【発明が解決しようとする課題】
【０００５】
ところで、複数のユーザが１つのユーザ端末を使用する場合がある。この場合において、あるユーザが、自身の要求によって記憶されたコンテンツデータが表すコンテンツを他のユーザに視聴させないことを希望することがある。【０００６】
しかしながら、上記コンテンツ配信システムは、ユーザ端末を実際に使用しているユーザがいずれのユーザであるかにかかわらず、ユーザ端末から要求があった場合に、記憶されているコンテンツデータを送信してしまう。即ち、上記コンテンツ配信システムによれば、あるユーザが送信した要求に従って記憶されたコンテンツデータが表すコンテンツが、他のユーザに視聴されることを防止できないという問題があった。【０００７】
このため、本発明の目的は、上述した課題である「あるユーザが送信した要求に従って記憶されたコンテンツデータが表すコンテンツが、他のユーザに視聴されることを防止できないこと」を解決することが可能なコンテンツ配信システムを提供することにある。
【課題を解決するための手段】
【０００８】
かかる目的を達成するため本発明の一形態であるコンテンツ配信システムは、
ユーザ端末とアプリケーションサーバシステムと接続制御システムとを含み、
上記ユーザ端末は、予め記憶している情報であって端末を特定するための情報である端末特定情報を上記接続制御システムへ送信するように構成され、
上記接続制御システムは、上記ユーザ端末により送信された端末特定情報を受信し当該受信した端末特定情報に基づいて上記アプリケーションサーバシステムと上記ユーザ端末との間の接続を確立するように構成され、
上記アプリケーションサーバシステムは、上記接続制御システムにより接続が確立された上記ユーザ端末へ、コンテンツを表すコンテンツデータを送信するように構成される。【０００９】
更に、上記ユーザ端末は、当該ユーザ端末のユーザを識別するための情報であるユーザ識別情報と、上記コンテンツを特定するためのコンテンツ特定情報を含み且つ当該コンテンツを表すコンテンツデータを記憶するための処理を上記アプリケーションサーバシステムに対して要求する処理要求としてのコンテンツ記憶処理要求と、を上記接続制御システムへ送信するように構成され、
上記接続制御システムは、上記ユーザ端末により送信されたユーザ識別情報及びコンテンツ記憶処理要求を受信し、当該受信したユーザ識別情報及びコンテンツ記憶処理要求を上記アプリケーションサーバシステムへ送信するように構成され、
上記アプリケーションサーバシステムは、上記接続制御システムにより送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行うように構成される。【００１０】
また、本発明の他の形態であるコンテンツ配信システムは、
ユーザ端末（Ｕｓｅｒ  Ｅｑｕｉｐｍｅｎｔ）とアプリケーションサーバシステムと接続制御システムとを含み、
上記ユーザ端末は、予め記憶している情報であって端末を特定するための情報である端末特定情報を上記接続制御システムへ送信するように構成され、
上記接続制御システムは、上記ユーザ端末により送信された端末特定情報を受信し当該受信した端末特定情報に基づいて上記アプリケーションサーバシステムと上記ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
上記アプリケーションサーバシステムは、
上記接続制御システムにより接続が確立された上記ユーザ端末へ、コンテンツを表すコンテンツデータを送信するメディア機能部（Ｍｅｄｉａ  Ｆｕｎｃｔｉｏｎｓ）と、
上記メディア機能部により提供されるサービスを制御するサービス制御機能部（Ｓｅｒｖｉｃｅ  Ｃｏｎｔｒｏｌ  Ｆｕｎｃｔｉｏｎｓ）と、
上記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備える。【００１１】
更に、上記ユーザ端末は、当該ユーザ端末のユーザを識別するための情報であるユーザ識別情報と、上記コンテンツを特定するためのコンテンツ特定情報を含み且つ当該コンテンツを表すコンテンツデータを記憶するための処理を上記アプリケーションサーバシステムに対して要求する処理要求としてのコンテンツ記憶処理要求と、を上記コアＩＭＳ部へ送信するように構成され、
上記コアＩＭＳ部は、上記ユーザ端末により送信されたユーザ識別情報及びコンテンツ記憶処理要求を受信し、当該受信したユーザ識別情報及びコンテンツ記憶処理要求を上記アプリケーションサーバシステムへ送信するように構成され、
上記アプリケーションサーバシステムは、上記コアＩＭＳ部により送信されたユーザ識別情報及びコンテンツ記憶処理要求を受信するように構成され、
上記メディア機能部は、上記コンテンツデータを記憶するように構成され、
上記サービス制御機能部は、上記受信されたユーザ識別情報と、上記メディア機能部により記憶されているコンテンツデータのうちの上記受信されたコンテンツ記憶処理要求により特定されるコンテンツを表すコンテンツデータを識別するためのコンテンツデータ識別情報と、を対応付けて上記ユーザプロファイルサーバ機能部に記憶させる処理を行うように構成される。【００１２】
また、本発明の他の形態であるコンテンツ配信方法は、
ユーザ端末が、予め記憶している情報であって端末を特定するための情報である端末特定情報を接続制御システムへ送信し、
上記接続制御システムが、上記ユーザ端末により送信された端末特定情報を受信し当該受信した端末特定情報に基づいてアプリケーションサーバシステムと当該ユーザ端末との間の接続を確立し、
上記アプリケーションサーバシステムが、上記接続制御システムにより接続が確立された上記ユーザ端末へ、コンテンツを表すコンテンツデータを送信するとともに、
更に、
上記ユーザ端末が、当該ユーザ端末のユーザを識別するための情報であるユーザ識別情報と、上記コンテンツを特定するためのコンテンツ特定情報を含み且つ当該コンテンツを表すコンテンツデータを記憶するための処理を上記アプリケーションサーバシステムに対して要求する処理要求としてのコンテンツ記憶処理要求と、を上記接続制御システムへ送信し、
上記接続制御システムが、上記ユーザ端末により送信されたユーザ識別情報及びコンテンツ記憶処理要求を受信し、当該受信したユーザ識別情報及びコンテンツ記憶処理要求を上記アプリケーションサーバシステムへ送信し、
上記アプリケーションサーバシステムが、上記接続制御システムにより送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行う方法である。【００１３】
また、本発明の他の形態であるアプリケーションサーバシステムは、
接続制御システムによってユーザ端末との間の接続が確立された場合に、当該ユーザ端末へ、コンテンツを表すコンテンツデータを送信するコンテンツ配信手段と、
上記ユーザ端末のユーザを識別するためのユーザ識別情報と、上記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から上記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を備える。【００１４】
また、本発明の他の形態であるプログラムは、
アプリケーションサーバシステムに、
接続制御システムによってユーザ端末との間の接続が確立された場合に、当該ユーザ端末へ、コンテンツを表すコンテンツデータを送信するコンテンツ配信手段と、
上記ユーザ端末のユーザを識別するためのユーザ識別情報と、上記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から上記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を実現させるためのプログラムである。
【発明の効果】
【００１５】
本発明は、以上のように構成されることにより、あるユーザにより記憶させられたコンテンツデータが表すコンテンツが、他のユーザに視聴されることを防止することができる。
【図面の簡単な説明】
【００１６】
【図１】本発明の第１実施形態に係るコンテンツ配信システムの概略構成を表す図である。
【図２】図１に示したコンテンツ配信システムの機能の概略を表すブロック図である。
【図３】図１に示したコンテンツ配信システムがユーザ端末及びユーザ端末のユーザを認証する際の作動を示したシーケンス図である。
【図４】図１に示したコンテンツ配信システムがユーザ端末のユーザの入力に応じて予約情報を登録する際の作動を示したシーケンス図である。
【図５】図１に示したコンテンツ配信システムがユーザ端末のユーザの入力に応じて予約情報の一覧を取得する際の作動を示したシーケンス図である。
【図６】図１に示したコンテンツ配信システムがユーザ端末のユーザの入力に応じて予約情報を編集する際の作動を示したシーケンス図である。
【図７】図１に示したコンテンツ配信システムが予約情報に基づいてコンテンツを録画する際の作動を示したシーケンス図である。
【図８】図１に示したコンテンツ配信システムがコンテンツの録画を停止する際の作動を示したシーケンス図である。
【図９】図１に示したコンテンツ配信システムがユーザ端末のユーザの入力に応じて、録画されたコンテンツの一覧を取得する際の作動を示したシーケンス図である。
【図１０】図１に示したコンテンツ配信システムがユーザ端末のユーザの入力に応じて、記憶されているコンテンツデータをユーザ端末へ送信する際の作動を示したシーケンス図である。
【図１１】図１に示したコンテンツ配信システムがユーザ端末のユーザの入力に応じて、コンテンツデータの送信を中止する際の作動を示したシーケンス図である。
【図１２】図１に示したコンテンツ配信システムが録画されたコンテンツを削除する際の作動を示したシーケンス図である。
【図１３】第１実施形態の第１変形例に係るコンテンツ配信システムがユーザ端末のユーザを認証する際の作動を示したシーケンス図である。
【図１４】第１実施形態の第２変形例に係るコンテンツ配信システムがユーザ端末のユーザを認証する際の作動を示したシーケンス図である。
【図１５】第１実施形態の第３変形例に係るコンテンツ配信システムが録画コンテンツ情報に基づいてコンテンツを録画する際の作動を示したシーケンス図である。
【図１６】第１実施形態の第４変形例に係るコンテンツ配信システムが予約情報に基づいてコンテンツを録画する際の作動を示したシーケンス図である。
【図１７】第１実施形態の第４変形例に係るコンテンツ配信システムがコンテンツの録画を停止する際の作動を示したシーケンス図である。
【図１８】第１実施形態の第４変形例に係るコンテンツ配信システムが録画されたコンテンツを削除する際の作動を示したシーケンス図である。
【図１９】第１実施形態の第５変形例に係るコンテンツ配信システムの機能の概略を表すブロック図である。
【図２０】第１実施形態の第５変形例に係るコンテンツ配信システムが録画コンテンツ情報に基づいてコンテンツを録画する際の作動を示したシーケンス図である。
【図２１】第１実施形態の第６変形例に係るコンテンツ配信システムがユーザ端末のユーザの入力に応じて、コンテンツデータの送信を中止する際の作動を示したシーケンス図である。
【図２２】第２実施形態に係るコンテンツ配信システムの機能の概略を表すブロック図である。
【図２３】第２実施形態に係るコンテンツ配信システムがユーザ端末のユーザの入力に応じて予約情報を登録する際の作動を示したシーケンス図である。
【図２４】第３実施形態に係るコンテンツ配信システムの機能の概略を表すブロック図である。
【図２５】第３実施形態に係るコンテンツ配信システムがユーザ端末のユーザの入力に応じて予約情報の一覧を取得する際の作動を示したシーケンス図である。
【図２６】第４実施形態に係るコンテンツ配信システムの機能の概略を表すブロック図である。
【図２７】第４実施形態に係るコンテンツ配信システムがユーザ端末のユーザの入力に応じて予約情報の一覧を取得する際の作動を示したシーケンス図である。
【図２８】第８実施形態に係るコンテンツ配信システムの機能の概略を表すブロック図である。
【発明を実施するための形態】
【００１７】
以下、本発明に係る、コンテンツ配信システム、コンテンツ配信方法、アプリケーションサーバシステム、及び、プログラム、の各実施形態について図１〜図２８を参照しながら説明する。
【００１８】
＜第１実施形態＞
（構成）
図１に示したように、第１実施形態に係るコンテンツ配信システム１は、コンテンツの放送を行うＩＰＴＶ（Ｉｎｔｅｒｎｅｔ  Ｐｒｏｔｏｃｏｌ  Ｔｅｌｅｖｉｓｉｏｎ）システムである。なお、コンテンツ配信システム１は、予め蓄積（記憶）されたコンテンツデータの配信を行うビデオオンデマンド（Ｖｉｄｅｏ  ｏｎ  Ｄｅｍａｎｄ）システムであってもよい。
【００１９】
コンテンツ配信システム１は、ユーザ端末（ＵＥ；Ｕｓｅｒ  Ｅｑｕｉｐｍｅｎｔ）２と、接続制御システム３と、アプリケーションサーバシステム４と、ポータルサーバ５と、を含む。接続制御システム３は、接続制御サーバ３ａ及び接続制御サーバ３ｂを含む複数のサーバを含む。アプリケーションサーバシステム４は、サービス制御サーバ４ａ及びメディアサーバ４ｂを含む複数のサーバを含む。
【００２０】
ユーザ端末２及び接続制御サーバ３ａは、ＩＰ（Ｉｎｔｅｒｎｅｔ  Ｐｒｏｔｏｃｏｌ）網を構成するユーザ側通信回線ＮＷ１を介して、互いに通信可能に接続されている。接続制御サーバ３ｂ、アプリケーションサーバシステム４及びポータルサーバ５は、上記ＩＰ網を構成するサービス提供者側通信回線ＮＷ２を介して、互いに通信可能に接続されている。
【００２１】
ユーザ端末２は、図示しないセットトップボックス及びリモートコントローラを備える。セットトップボックスは、図示しないテレビ受像機に接続されている。セットトップボックスは、メディアサーバ４ｂから送信されたコンテンツ（本例では、音声及び映像からなる動画）を表すコンテンツデータを受信し、受信したコンテンツデータを変換することによりテレビ受像機に当該コンテンツを出力させる。
【００２２】
リモートコントローラは、複数のボタン（ボタン式スイッチ）を備える。リモートコントローラは、ボタンがユーザにより押し込まれた場合に、そのボタンに応じた赤外線信号をセットトップボックスへ送信する。セットトップボックスは、リモートコントローラから赤外線信号を受信することにより、ユーザにより入力された情報を受け付ける。
【００２３】
また、ユーザ端末２は、端末（自端末）を特定するための情報である端末特定情報を記憶装置としてのメモリに記憶させている。
【００２４】
接続制御サーバ３ａ、接続制御サーバ３ｂ、サービス制御サーバ４ａ、メディアサーバ４ｂ及びポータルサーバ５（サーバ３ａ〜５）のそれぞれは、図示しない中央処理装置（ＣＰＵ；Ｃｅｎｔｒａｌ  Ｐｒｏｃｅｓｓｉｎｇ  Ｕｎｉｔ）及び記憶装置（メモリ及びハードディスク駆動装置（ＨＤＤ））を備える。各サーバ３ａ〜５は、記憶装置に記憶されているプログラムをＣＰＵが実行することにより、後述する機能を実現するように構成されている。
【００２５】
接続制御サーバ３ａ及び接続制御サーバ３ｂのそれぞれは、ＳＩＰメッセージ（ＳＩＰ（Ｓｅｓｓｉｏｎ  Ｉｎｉｔｉａｔｉｏｎ  Ｐｒｏｔｏｃｏｌ）に従ったメッセージ）を授受（受信及び送信）することにより、複数の装置間の接続を制御するように構成されている。即ち、接続制御サーバ３ａ及び接続制御サーバ３ｂのそれぞれは、ＳＩＰサーバである。
【００２６】
接続制御システム３は、ユーザ端末２により送信された端末特定情報を含むＳＩＰメッセージを受信すると、当該受信したＳＩＰメッセージに含まれる端末特定情報に基づいてアプリケーションサーバシステム４とユーザ端末２との間の接続（セッション）を確立するように構成されている。
【００２７】
サービス制御サーバ４ａは、メディアサーバ４ｂにより提供されるサービス（コンテンツデータを送信するサービス）を制御する。メディアサーバ４ｂは、接続制御システム３により接続が確立されたユーザ端末２へ、コンテンツを表すコンテンツデータを送信する。
【００２８】
ポータルサーバ５は、ＨＴＴＰ（Ｈｙｐｅｒｔｅｘｔ  Ｔｒａｎｓｆｅｒ  Ｐｒｏｔｏｃｏｌ）に従ったメッセージ（ＨＴＴＰメッセージ）を授受することにより、ユーザ端末２との間でデータを授受するように構成されている。即ち、ポータルサーバ５は、ウェブサーバである。
【００２９】
（機能）
図２は、上記のように構成されたコンテンツ配信システム１の機能を表すブロック図である。
【００３０】
（機能：ユーザ端末）
ユーザ端末２の機能は、要求送信部１１を含む。要求送信部１１は、ユーザ端末２の電源スイッチの状態がオン状態に設定される（電力が供給される）と、記憶している端末特定情報を含む端末認証処理要求としてのＳＩＰメッセージを接続制御サーバ３ａへ送信する。
【００３１】
更に、要求送信部１１は、ユーザ端末２のユーザによりリモートコントローラを介して入力されたユーザ認証用情報を含むＳＩＰメッセージをユーザ認証処理要求として接続制御システム３へ送信する。本例では、ユーザ認証用情報は、ユーザ端末２のユーザを識別するための文字列を表すユーザ識別情報と、パスワードとしての文字列を表すパスワード情報と、からなる。
【００３２】
また、要求送信部１１は、接続制御システム３からユーザ認証成功情報を含むＳＩＰメッセージを受信する。ユーザ認証成功情報は、ユーザ識別情報を含み、そのユーザ識別情報により識別されるユーザが正当なユーザであることが認証された旨を表す情報である。
【００３３】
要求送信部１１は、接続制御システム３からユーザ認証成功情報を受信した場合、ユーザ端末２のユーザにより入力された要求送信指示に応じて、受信したユーザ認証成功情報（即ち、ユーザ識別情報）と、アプリケーションサーバシステムに対して処理の実行を要求する処理要求と、端末特定情報と、を含むＳＩＰメッセージを接続制御システム３へ送信する。
【００３４】
（機能：接続制御システム）
接続制御システム３の機能は、コアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））３０及びトランスポート機能部８０を含む。
【００３５】
コアＩＭＳ部３０は、呼接続制御部３１と、ＩＭＳ認証部（ユーザ認証手段）３２と、を含む。呼接続制御部３１は、ＳＩＰメッセージを授受（受信及び送信）することにより、複数の装置間の接続を制御する。
【００３６】
また、ＩＭＳ認証部３２は、接続制御サーバ３ａがユーザ端末２から端末認証処理要求を受信した場合、受信した端末認証処理要求に含まれる端末特定情報と、端末認証用基準情報と、が対応（本例では、一致）しているか否かを判定することにより、ユーザ端末２が正当な端末であるか否かを認証する（端末認証処理を行う）。ここで、端末認証用基準情報は、接続制御システム３が備える記憶装置に予め記憶された情報である。
【００３７】
そして、呼接続制御部３１は、ＩＭＳ認証部３２により、ユーザ端末２が正当な端末であると認証された場合、以降において、ユーザ端末２から送信されたメッセージ（処理要求等）に基づく処理（例えば、アプリケーションサーバシステム４へメッセージを転送する処理）を行う。一方、呼接続制御部３１は、ＩＭＳ認証部３２により、ユーザ端末２が正当な端末であると認証されなかった場合、以降において、ユーザ端末２から送信されたメッセージ（処理要求等）に基づく処理を行わない。
【００３８】
更に、ＩＭＳ認証部３２は、接続制御サーバ３ａがユーザ端末２からユーザ認証処理要求を受信した場合、受信したユーザ認証処理要求に含まれるユーザ認証用情報と、ユーザ認証用基準情報と、が対応しているか否かを判定することにより、ユーザ認証用情報に含まれるユーザ識別情報により識別されるユーザが正当なユーザである（ユーザ識別情報により識別されるユーザがユーザ端末２のユーザと一致する）か否かを認証する（ユーザ認証処理を行う）。ここで、ユーザ認証用基準情報は、接続制御システム３が備える記憶装置に予め記憶された情報である。即ち、接続制御システム３が備える記憶装置は、ユーザ認証用基準情報記憶手段を構成している。
【００３９】
そして、呼接続制御部３１は、ＩＭＳ認証部３２により、ユーザ識別情報により識別されるユーザが正当なユーザであると認証された場合、ユーザ端末２へユーザ認証成功情報を含むＳＩＰメッセージを送信する。一方、呼接続制御部３１は、ＩＭＳ認証部３２により、ユーザ識別情報により識別されるユーザが正当なユーザであると認証されなかった場合、ユーザ端末２へユーザ認証成功情報を含むＳＩＰメッセージを送信しない。
【００４０】
更に、呼接続制御部３１は、サービス制御サーバ４ａから帯域確保指示を受信した場合、メディアサーバ４ｂとユーザ端末２との間の接続を確立する。帯域確保指示は、メディア配信機能部７０（即ち、メディアサーバ４ｂ）を特定するためのメディア配信特定情報と、通信帯域を表す通信帯域情報と、を含む。呼接続制御部３１は、受信した通信帯域情報と、受信したメディア配信特定情報により特定されるメディアサーバ４ｂとユーザ端末２との間の通信経路を特定する通信経路特定情報と、をトランスポート機能部８０へ送信する。
【００４１】
また、トランスポート機能部８０は、帯域確保部８１を含む。帯域確保部８１は、呼接続制御部３１から通信帯域情報及び通信経路特定情報を受信し、受信した通信経路特定情報により特定される通信経路にて、受信した通信帯域情報が表す通信帯域を確保するための処理（帯域確保処理）を行う。
【００４２】
（機能：サービス制御サーバ）
一方、サービス制御サーバ４ａの機能は、サービス制御機能部（ＳＣＦ；Ｓｅｒｖｉｃｅ  Ｃｏｎｔｒｏｌ  Ｆｕｎｃｔｉｏｎｓ）４０と、ユーザプロファイルサーバ機能部（ＵＰＳＦ；Ｕｓｅｒ  Ｐｒｏｆｉｌｅ  Ｓｅｒｖｅｒ  Ｆｕｎｃｔｉｏｎｓ）５０と、を含む。
【００４３】
ユーザプロファイルサーバ機能部５０は、端末特定情報及びユーザ識別情報と対応付けて録画コンテンツテーブルを記憶している。即ち、ユーザプロファイルサーバ機能部５０は、ユーザ端末２のユーザのプロファイル情報を記憶する。
【００４４】
録画コンテンツテーブルは、コンテンツデータ識別情報と、放送サービス識別情報と、録画開始日時と、録画終了日時と、番組情報と、録画状態と、共有者権限情報と、管理者識別情報と、の組からなる録画コンテンツ情報を複数含むテーブルである。なお、録画コンテンツ情報は、コンテンツデータ識別情報と、放送サービス識別情報と、録画開始日時と、録画終了日時と、番組情報と、録画状態と、共有者権限情報と、管理者識別情報と、のうちの一部の情報のみから構成されていてもよいし、他の情報を含んでいてもよい。
【００４５】
ここで、コンテンツデータ識別情報は、後述するコンテンツ記憶部ＣＲにより記憶されているコンテンツデータを識別するための情報である。また、放送サービス識別情報は、後述する放送サービス部ＢＣＳの放送局（チャンネル）を識別するための情報である。
【００４６】
更に、録画開始日時（記憶開始日時）は、コンテンツデータの記憶を開始する日時を表す情報である。また、録画終了日時（記憶終了日時）は、コンテンツデータの記憶を終了する日時を表す情報である。
【００４７】
番組情報は、コンテンツデータが表すコンテンツの内容を表す情報である。録画状態は、コンテンツデータの記憶状態を表す情報である。録画状態は、コンテンツデータが記憶される前には「予約中」に設定され、コンテンツデータが記憶されている間には「録画中」に設定され、コンテンツデータの記憶が完了した後には「録画終了」に設定され、ユーザの指示によらずにコンテンツデータの記憶が完了前に終了した場合には「録画失敗」に設定され、ユーザの指示によりコンテンツデータの記憶が完了前に終了した場合には「録画未完」に設定される。
【００４８】
共有者権限情報は、共有ユーザ識別情報としてのユーザ識別情報と処理要求特定情報との組を含む情報である。処理要求特定情報は、処理要求を特定するための情報である。共有者権限情報は、処理要求特定情報により特定される処理要求が、その共有ユーザ識別情報により識別されるユーザによって送信された場合に、その処理要求に基づく処理の実行を許可する旨を表す。
【００４９】
管理者識別情報は、ユーザ識別情報を含む情報である。管理者識別情報は、そのユーザ識別情報により識別されるユーザによって任意の処理要求が送信された場合に、その処理要求に基づく処理の実行を許可する旨を表す。共有者権限情報及び管理者識別情報は、権限情報として一括管理されることもある。たとえば、管理・共有ユーザ識別情報（Ａｕｔｈｏｒｉｚｅｄ  Ｃｏｎｔｒｏｌ  Ｕｓｅｒ、Ａｃｃｅｓｓ  Ｃｏｎｔｒｏｌ  Ｌｉｓｔ）などと呼ばれるリストで管理される。
【００５０】
また、サービス制御機能部４０は、情報送受信部４１と、予約更新部４２と、予約抽出部４３と、コンテンツ抽出部４４と、権限確認部４５と、録画状態更新部４６と、配信要求部４７と、を含む。
【００５１】
情報送受信部４１は、コアＩＭＳ部３０を介して（コアＩＭＳ部３０を経由させて）、ユーザ端末２又はメディアサーバ４ｂから送信された種々の情報（要求、指示及び通知等）を受信する。また、情報送受信部４１は、コアＩＭＳ部３０を介して、種々の情報をユーザ端末２又はメディアサーバ４ｂへ送信する。なお、本例では、種々の情報は、ＳＩＰメッセージに含まれる。
【００５２】
なお、サービス制御サーバ４ａは、ユーザ端末２から、処理要求とともにユーザ認証成功情報を受信した場合に限って、その処理要求に基づく処理を行う。即ち、アプリケーションサーバシステム４は、ＩＭＳ認証部３２により、ユーザ識別情報により識別されるユーザが正当なユーザであると認証された場合に、ユーザ識別情報及び処理要求に基づく処理を行う、と言うことができる。
【００５３】
予約更新部４２は、情報送受信部４１により受信された処理要求に基づいて、ユーザプロファイルサーバ機能部５０に記憶されている録画コンテンツ情報を更新（追加、変更又は削除）する。
【００５４】
予約抽出部４３は、情報送受信部４１によりユーザ識別情報、端末特定情報、及び、予約一覧送信処理要求が受信された場合、ユーザプロファイルサーバ機能部５０に記憶されている録画コンテンツテーブルのうちの、受信されたユーザ識別情報及び端末特定情報と対応付けて記憶されている録画コンテンツテーブルを特定する。
【００５５】
そして、予約抽出部４３は、特定した録画コンテンツテーブルに含まれる録画コンテンツ情報から、録画状態が「予約中」である録画コンテンツ情報を抽出する。
【００５６】
また、コンテンツ抽出部４４は、情報送受信部４１によりユーザ識別情報、端末特定情報、及び、コンテンツ一覧送信処理要求が受信された場合、ユーザプロファイルサーバ機能部５０に記憶されている録画コンテンツテーブルのうちの、受信されたユーザ識別情報及び端末特定情報と対応付けて記憶されている録画コンテンツテーブルを特定する。
【００５７】
そして、コンテンツ抽出部４４は、特定した録画コンテンツテーブルに含まれる録画コンテンツ情報から、録画状態が「録画終了」又は「録画未完」である録画コンテンツ情報を抽出する。
【００５８】
権限確認部４５は、ユーザ識別情報、端末特定情報、コンテンツデータ識別情報、及び、処理要求特定情報を受け付ける。そして、権限確認部４５は、受け付けたユーザ識別情報、端末特定情報、コンテンツデータ識別情報、及び、処理要求特定情報に基づいて、下記の第１の条件〜第３の条件の少なくとも１つが成立するか否かを判定する権限確認処理を行う。権限確認部４５は、下記の第１の条件〜第３の条件の少なくとも１つが成立すると判定された場合には、権限存在情報を出力する。
【００５９】
第１の条件は、ユーザプロファイルサーバ機能部５０に記憶されている録画コンテンツテーブルのうちの、受け付けたユーザ識別情報及び端末特定情報と対応付けて記憶されている録画コンテンツテーブルに含まれる録画コンテンツ情報の少なくとも１つが、受け付けたコンテンツデータ識別情報を含む、という条件である。
【００６０】
第２の条件は、ユーザプロファイルサーバ機能部５０に記憶されている録画コンテンツテーブルに含まれる録画コンテンツ情報の少なくとも１つが、受け付けたコンテンツデータ識別情報と、受け付けたユーザ識別情報及び処理要求特定情報の組を含む共有者権限情報と、を含む、という条件である。
【００６１】
第３の条件は、ユーザプロファイルサーバ機能部５０に記憶されている録画コンテンツテーブルに含まれる録画コンテンツ情報の少なくとも１つが、受け付けたコンテンツデータ識別情報と、受け付けたユーザ識別情報と同一の管理者識別情報と、を含む、という条件である。
【００６２】
録画状態更新部４６は、情報送受信部４１によりユーザ識別情報、端末特定情報、及び、録画状態変更指示が受信された場合、ユーザプロファイルサーバ機能部５０に記憶されている録画コンテンツテーブルのうちの、受信されたユーザ識別情報及び端末特定情報と対応付けて記憶されている録画コンテンツテーブルを特定する。録画状態変更指示は、コンテンツデータ識別情報と、変更後の録画状態を表す情報と、を含む指示である。
【００６３】
そして、録画状態更新部４６は、特定した録画コンテンツテーブルに含まれる録画コンテンツ情報から、受信された録画状態変更指示に含まれるコンテンツデータ識別情報を含む録画コンテンツ情報を特定する。更に、録画状態更新部４６は、特定した録画コンテンツ情報に含まれる録画状態を、上記受信された録画状態変更指示に含まれる情報が表す変更後の録画状態に変更（更新）する。
【００６４】
配信要求部４７は、情報送受信部４１によりコンテンツ送信処理要求が受信された場合、コンテンツ送信処理要求に含まれるコンテンツデータ識別情報を含むコンテンツ送信指示を出力する。情報送受信部４１は、配信要求部４７により出力されたコンテンツ送信指示を、コアＩＭＳ部３０を介してメディアサーバ４ｂへ送信する。
【００６５】
（機能：メディアサーバ）
メディアサーバ４ｂの機能は、メディア制御機能部（ＭＣＦ；Ｍｅｄｉａ  Ｃｏｎｔｒｏｌ  Ｆｕｎｃｔｉｏｎｓ）６０と、メディア配信機能部（ＭＤＦ；Ｍｅｄｉａ  Ｄｅｌｉｖｅｒｙ  Ｆｕｎｃｔｉｏｎｓ）７０と、コンテンツ記憶部ＣＲと、を含む。メディア制御機能部６０及びメディア配信機能部７０は、メディア機能部（ＭＦ；Ｍｅｄｉａ  Ｆｕｎｃｔｉｏｎｓ）を構成している。
【００６６】
コンテンツ記憶部ＣＲは、アプリケーションサーバシステム４の外部としての放送サービス部ＢＣＳにより送信されたコンテンツデータを受信し、受信したコンテンツデータを常時、記憶装置に記憶させる。即ち、コンテンツ記憶部ＣＲは、放送サービス部ＢＣＳにより送信されたコンテンツデータのすべてを記憶装置に記憶させる。
【００６７】
放送サービス部ＢＣＳは、互いに異なる複数のコンテンツデータを同時に送信可能に構成されている。放送サービス部ＢＣＳにより送信されるコンテンツデータのそれぞれは、１つの放送局（チャンネル）を構成している。放送サービス部ＢＣＳは、要求に応じてコンテンツデータをコンテンツ記憶部ＣＲへ送信する。
【００６８】
メディア制御機能部６０は、情報送受信部６１と、予約更新部６２と、予約情報記憶部６３と、録画制御部６４と、コンテンツ配信制御部６５と、受信要求部６６と、を含む。
【００６９】
情報送受信部６１は、コアＩＭＳ部３０を介して、サービス制御サーバ４ａから送信された種々の情報を受信する。また、情報送受信部６１は、コアＩＭＳ部３０を介して、種々の情報をサービス制御サーバ４ａへ送信する。
【００７０】
予約更新部６２は、情報送受信部６１により受信された処理指示に基づいて、予約情報記憶部６３に記憶されている予約情報を更新（追加、変更又は削除）する。
【００７１】
予約情報記憶部６３は、端末特定情報及びユーザ識別情報と対応付けて予約テーブルを記憶している。予約テーブルは、コンテンツデータ識別情報と、録画開始日時と、録画終了日時と、放送サービス識別情報と、の組からなる予約情報を複数含むテーブルである。
【００７２】
録画制御部６４は、予約情報記憶部６３に記憶されている予約情報に含まれる録画開始日時になると、その予約情報に含まれるコンテンツデータ識別情報と、変更後の録画状態としての「録画中」を表す情報と、を含む録画状態変更指示を、コアＩＭＳ部３０を介してサービス制御機能部４０へ送信する。
【００７３】
同様に、録画制御部６４は、予約情報記憶部６３に記憶されている予約情報に含まれる録画終了日時になると、その予約情報に含まれるコンテンツデータ識別情報と、変更後の録画状態としての「録画終了」を表す情報と、を含む録画状態変更指示を、コアＩＭＳ部３０を介してサービス制御機能部４０へ送信する。
【００７４】
コンテンツ配信制御部６５は、情報送受信部６１によりコンテンツ送信指示が受信された場合、コンテンツ送信指示に含まれるコンテンツデータ識別情報及び端末特定情報に基づいて、コンテンツデータを送信するメディア配信機能部７０を決定する。コンテンツ配信制御部６５は、決定したメディア配信機能部７０を特定するためのメディア配信特定情報と、コンテンツデータ識別情報と、をコアＩＭＳ部３０を介してサービス制御サーバ４ａへ送信する。
【００７５】
サービス制御サーバ４ａは、受信したメディア配信特定情報及びコンテンツデータ識別情報に基づいて、コンテンツデータ識別情報により識別されるコンテンツデータを送信するために必要とされる通信帯域を決定する。サービス制御サーバ４ａは、決定した通信帯域を表す通信帯域情報と、受信したメディア配信特定情報と、を含む帯域確保指示をコアＩＭＳ部３０へ送信する。更に、サービス制御サーバ４ａは、受信したメディア配信特定情報及びコンテンツデータ識別情報をコアＩＭＳ部３０を介してユーザ端末２へ送信する。
【００７６】
受信要求部６６は、メディアサーバ４ｂが起動された時に、受信開始要求を放送サービス部ＢＣＳへ送信する。本例では、受信開始要求は、すべての放送局のコンテンツデータの送信を要求する旨を表す情報である。
【００７７】
メディア配信機能部７０は、コンテンツ配信部７１を含む。コンテンツ配信部７１は、ユーザ端末２からコンテンツ送信要求を受信する。コンテンツ送信要求は、コンテンツデータ識別情報を含む。コンテンツ配信部７１は、コンテンツ記憶部ＣＲに記憶されているコンテンツデータのうちの、受信したコンテンツ送信要求に含まれるコンテンツデータ識別情報により識別されるコンテンツデータをユーザ端末２へ送信する。このとき、コンテンツ配信部７１は、コアＩＭＳ部３０により確立されたセッションを用いて、所定の通信プロトコル（本例では、ＲＴＰ（Ｒｅａｌ−ｔｉｍｅ  Ｔｒａｎｓｐｏｒｔ  Ｐｒｏｔｏｃｏｌ））に従ってデータを送信する。
【００７８】
（機能：ポータルサーバ）
一方、ポータルサーバ５の機能は、サービス選択機能部２０を含む。サービス選択機能部２０は、ポータル画面送信部２１を含む。
【００７９】
ポータル画面送信部２１は、ユーザ端末２により送信されたポータル画面要求を受信する。ポータル画面送信部２１は、受信したポータル画面要求に応じてポータル画面情報をユーザ端末２へ送信する。
【００８０】
（作動）
次に、上述したコンテンツ配信システム１の作動について具体的に述べる。
【００８１】
（作動：認証処理）
コンテンツ配信システム１がユーザ端末２及びユーザ端末２のユーザを認証する際のコンテンツ配信システム１の作動について、図３のシーケンス図を参照しながら説明する。
【００８２】
先ず、ユーザがユーザ端末２の電源スイッチの状態をオン状態に設定することにより、ユーザ端末２に電力が供給される。これにより、ユーザ端末２は、記憶している端末特定情報を含む端末認証処理要求を接続制御サーバ３ａ（コアＩＭＳ部３０）へ送信する（ステップＡ３０１、端末特定情報送信工程）。
【００８３】
コアＩＭＳ部３０は、受信した端末認証処理要求に含まれる端末特定情報と、予め記憶された端末認証用基準情報と、が対応（本例では、一致）しているか否かを判定することにより、ユーザ端末２が正当な端末であるか否かを認証（端末認証処理を実行）する（ステップＢ３０１）。そして、コアＩＭＳ部３０は、ユーザ端末２が正当な端末であると認証された場合、端末認証成功情報をユーザ端末２へ送信する（ステップＢ３０２）。端末認証成功情報は、ユーザ端末２が正当な端末であると認証された旨を表す情報である。
【００８４】
ユーザ端末２は、端末認証成功情報を受信すると、ユーザ認証用情報の入力をユーザに促す画像を、図示しないテレビ受像機に表示させる。これにより、ユーザは、リモートコントローラを操作することにより、ユーザ認証用情報を入力する。
【００８５】
そして、ユーザ端末２は、ユーザ認証用情報の入力を受け付けると、受け付けたユーザ認証用情報を含むユーザ認証処理要求をコアＩＭＳ部３０へ送信する（ステップＡ３０２、ユーザ認証用情報送信工程）。
【００８６】
これにより、コアＩＭＳ部３０は、ユーザ認証処理要求を受信する（ユーザ認証用情報受信工程）。コアＩＭＳ部３０は、受信したユーザ認証処理要求に含まれるユーザ認証用情報と、予め記憶されたユーザ認証用基準情報と、が対応（本例では、一致）しているか否かを判定することにより、ユーザ認証用基準情報に含まれるユーザ識別情報により識別されるユーザが正当なユーザであるか否かを認証（ユーザ認証処理を実行）する（ステップＢ３０３、ユーザ認証工程）。そして、コアＩＭＳ部３０は、ユーザ識別情報により識別されるユーザが正当なユーザであると認証された場合、ユーザ認証成功情報をユーザ端末２へ送信する（ステップＢ３０４）。
【００８７】
これにより、ユーザ端末２は、ユーザ認証成功情報を受信する。そして、以降において、ユーザ端末２は、ユーザ識別情報を含むユーザ認証成功情報と処理要求とを含むＳＩＰメッセージをコアＩＭＳ部３０へ送信する。
【００８８】
（作動：予約情報登録処理）
次に、コンテンツ配信システム１がユーザ端末２のユーザの入力に応じて予約情報を登録する際のコンテンツ配信システム１の作動について、図４のシーケンス図を参照しながら説明する。
【００８９】
先ず、ユーザ端末２のユーザは、リモートコントローラを介して、ポータルサーバ５（サービス選択機能部２０）へポータル画面要求を送信する旨を指示する情報を入力する。これにより、ユーザ端末２は、ポータル画面要求をサービス選択機能部２０へ送信する（ステップＡ４０１）。
【００９０】
これにより、サービス選択機能部２０は、受信したポータル画面要求に応じてポータル画面を表すポータル画面情報をユーザ端末２へ送信する（ステップＢ４０１）。そして、ユーザ端末２は、ポータル画面情報を受信し、受信したポータル画面情報が表す画像を図示しないテレビ受像機に表示させる。この画像には、各放送局により放送される予定のコンテンツの一覧が含まれる。
【００９１】
そして、ユーザ端末２のユーザは、コンテンツを選択し、選択したコンテンツを録画する旨を指示する情報を入力する。更に、ユーザ端末２のユーザは、管理者識別情報を入力する。更に、共有者権限情報を入力しても良い。
【００９２】
これにより、ユーザ端末２は、コンテンツ記憶処理要求（録画予約要求）と、ユーザ認証成功情報と、端末特定情報と、をコアＩＭＳ部３０へ送信する（ステップＡ４０２、要求送信工程）。
【００９３】
コンテンツ記憶処理要求は、ユーザにより選択されたコンテンツを特定するためのコンテンツ特定情報と、入力された管理者識別情報（管理者識別情報及び共有者権限情報が入力された場合には、管理者識別情報及び共有者権限情報、以下、同様）と、を含み、且つ、そのコンテンツを表すコンテンツデータを記憶するための処理をアプリケーションサーバシステム４に対して要求する処理要求である。ここで、コンテンツ特定情報は、放送サービス識別情報と、録画開始日時と、録画終了日時と、を含む。
【００９４】
コアＩＭＳ部３０は、ユーザ端末２により送信された端末特定情報、ユーザ認証成功情報及びコンテンツ記憶処理要求を受信し、受信した端末特定情報、ユーザ認証成功情報及びコンテンツ記憶処理要求をサービス制御サーバ４ａ（サービス制御機能部４０）へ送信する（要求転送工程）。即ち、ユーザ端末２は、コンテンツ記憶処理要求と、ユーザ認証成功情報と、端末特定情報と、をコアＩＭＳ部３０を介してサービス制御機能部４０へ送信する。
【００９５】
そして、サービス制御機能部４０は、端末特定情報、ユーザ認証成功情報及びコンテンツ記憶処理要求を受信する。次いで、サービス制御機能部４０は、受信したコンテンツ記憶処理要求に応じてコンテンツ記憶処理指示（録画予約指示）をコアＩＭＳ部３０を介してメディアサーバ４ｂ（メディア制御機能部６０）へ送信する（ステップＣ４０１）。コンテンツ記憶処理指示は、端末特定情報、ユーザ識別情報及びコンテンツ特定情報を含む。
【００９６】
そして、メディア制御機能部６０は、受信したコンテンツ記憶処理指示に含まれる端末特定情報及びユーザ識別情報と対応付けられた予約テーブルに予約情報を追加（登録）する（ステップＤ４０１）。この予約情報は、受信されたコンテンツ記憶処理指示が含むコンテンツ特定情報に含まれる録画開始日時、録画終了日時及び放送サービス識別情報を含むとともに、メディア制御機能部６０により新たに生成されたコンテンツデータ識別情報を含む。
【００９７】
次いで、メディア制御機能部６０は、予約完了通知をコアＩＭＳ部３０を介してサービス制御機能部４０へ送信する（ステップＤ４０２）。予約完了通知は、コンテンツデータ識別情報を含む情報である。これにより、サービス制御機能部４０は、予約完了通知を受信する。
【００９８】
そして、サービス制御機能部４０は、上記受信した端末特定情報及びユーザ識別情報と対応付けられた録画コンテンツテーブルに録画コンテンツ情報を追加（登録）する（ステップＣ４０２）。この録画コンテンツ情報は、受信した予約完了通知に含まれるコンテンツデータ識別情報と、受信したコンテンツ記憶処理要求に含まれるコンテンツ特定情報に含まれる放送サービス識別情報、録画開始日時及び録画終了日時と、「予約中」を表す録画状態と、受信したコンテンツ記憶処理要求に含まれる管理者識別情報と、を含む。
【００９９】
そして、サービス制御機能部４０は、予約完了通知をコアＩＭＳ部３０を介してユーザ端末２へ送信する（ステップＣ４０３）。そして、ユーザ端末２は、予約完了通知を受信すると、録画予約が完了した旨を表す画像を図示しないテレビ受像機に表示させる。
【０１００】
（作動：予約一覧取得処理）
次に、コンテンツ配信システム１がユーザ端末２のユーザの入力に応じて予約情報の一覧を取得する際のコンテンツ配信システム１の作動について、図５のシーケンス図を参照しながら説明する。
【０１０１】
先ず、ユーザ端末２は、ポータル画面要求をサービス選択機能部２０へ送信する（ステップＡ５０１）。これにより、サービス選択機能部２０は、受信したポータル画面要求に応じてポータル画面を表すポータル画面情報をユーザ端末２へ送信する（ステップＢ５０１）。そして、ユーザ端末２は、受信したポータル画面情報が表す画像を図示しないテレビ受像機に表示させる。この画像には、予約一覧を要求する旨を指示するためのメニューが含まれる。
【０１０２】
そして、ユーザ端末２のユーザは、予約一覧を要求する旨を指示するためのメニューを選択する情報を入力する。これにより、ユーザ端末２は、予約一覧送信処理要求（予約一覧要求）と、ユーザ認証成功情報と、端末特定情報と、をコアＩＭＳ部３０を介してサービス制御機能部４０へ送信する（ステップＡ５０２）。予約一覧送信処理要求は、記憶されている予約情報に基づく処理をアプリケーションサーバシステム４に対して要求する旨を表す情報である。
【０１０３】
これにより、サービス制御機能部４０は、端末特定情報、ユーザ認証成功情報及び予約一覧送信処理要求を受信する。次いで、サービス制御機能部４０は、ユーザプロファイルサーバ機能部５０に記憶されている録画コンテンツテーブルのうちの、受信されたユーザ識別情報及び端末特定情報と対応付けて記憶されている録画コンテンツテーブルを特定する。
【０１０４】
そして、サービス制御機能部４０は、特定した録画コンテンツテーブルに含まれる録画コンテンツ情報から、録画状態が「予約中」である録画コンテンツ情報を抽出する。次いで、サービス制御機能部４０は、抽出した録画コンテンツ情報に基づいて、予約情報の一覧を表す予約一覧情報を生成（取得）する（ステップＣ５０１）。
【０１０５】
次いで、サービス制御機能部４０は、取得した予約一覧情報をコアＩＭＳ部３０を介してユーザ端末２へ送信する（ステップＣ５０２）。そして、ユーザ端末２は、予約一覧情報を受信すると、予約一覧情報が表す予約情報の一覧を図示しないテレビ受像機に表示させる。
【０１０６】
（作動：予約編集処理）
次に、コンテンツ配信システム１がユーザ端末２のユーザの入力に応じて予約情報を編集する際のコンテンツ配信システム１の作動について、図６のシーケンス図を参照しながら説明する。また、予約情報の削除も編集処理に含まれる。
【０１０７】
テレビ受像機に予約情報の一覧が表示されている状態において、ユーザ端末２のユーザは、予約情報を選択し、選択した予約情報を特定する予約情報特定情報を入力する。予約情報特定情報は、コンテンツデータ識別情報を含む。更に、ユーザは、選択した予約情報の編集内容（例えば、編集後の録画開始日時等）を表す編集内容情報を入力する。
【０１０８】
これにより、ユーザ端末２は、入力された予約情報特定情報及び編集内容情報を含む予約編集処理要求（予約編集要求）と、ユーザ認証成功情報と、端末特定情報と、をコアＩＭＳ部３０を介してサービス制御機能部４０へ送信する（ステップＡ６０１）。
【０１０９】
これにより、サービス制御機能部４０は、端末特定情報、ユーザ認証成功情報及び予約編集処理要求を受信する。次いで、サービス制御機能部４０は、受信した端末特定情報、ユーザ識別情報及びコンテンツデータ識別情報と、予約編集処理要求を特定する処理要求特定情報に基づいて、上記権限確認処理を行う（ステップＢ６０１）。
【０１１０】
いま、上記第１の条件〜第３の条件の少なくとも１つが成立する場合を想定して説明を続ける。なお、上記第１の条件〜第３の条件のいずれもが成立しない場合には、サービス制御機能部４０は、権限が存在しない旨を表す情報をコアＩＭＳ部３０を介してユーザ端末２へ送信し、後述するステップＢ６０２以降の処理を行わない。
【０１１１】
上記仮定に従えば、サービス制御機能部４０は、上記権限確認処理の実行結果として権限存在情報を出力する。この場合、サービス制御機能部４０は、予約編集指示をコアＩＭＳ部３０を介してメディア制御機能部６０へ送信する（ステップＢ６０２）。予約編集指示は、端末特定情報、ユーザ識別情報、コンテンツデータ識別情報、及び、編集内容情報を含む。
【０１１２】
これにより、メディア制御機能部６０は、予約編集指示を受信する。そして、メディア制御機能部６０は、受信した予約編集指示に含まれる端末特定情報及びユーザ識別情報と対応付けられた予約テーブルに含まれる予約情報のうちの、受信した予約編集指示に含まれるコンテンツデータ識別情報を含む予約情報を特定する。
【０１１３】
次いで、メディア制御機能部６０は、受信した予約編集指示に含まれる編集内容情報が表す編集内容に応じて、特定した予約情報を編集する（ステップＣ６０１）。そして、メディア制御機能部６０は、予約編集完了通知をコアＩＭＳ部３０を介してサービス制御機能部４０へ送信する（ステップＣ６０２）。予約編集完了通知は、予約情報の編集が完了した旨を表す情報である。これにより、サービス制御機能部４０は、予約編集完了通知を受信する。
【０１１４】
そして、サービス制御機能部４０は、上記受信した端末特定情報及びユーザ識別情報と対応付けられた録画コンテンツテーブルに含まれる録画コンテンツ情報のうちの、受信したコンテンツデータ識別情報を含む録画コンテンツ情報を特定する。
【０１１５】
次いで、サービス制御機能部４０は、受信した編集内容情報が表す編集内容に応じて、特定した録画コンテンツ情報を編集する（ステップＢ６０３）。そして、サービス制御機能部４０は、予約編集完了通知をコアＩＭＳ部３０を介してユーザ端末２へ送信する（ステップＢ６０４）。そして、ユーザ端末２は、予約編集完了通知を受信すると、予約情報の編集が完了した旨を表す画像を図示しないテレビ受像機に表示させる。
【０１１６】
このように、サービス制御機能部４０は、受信した予約編集処理要求（記憶コンテンツ処理要求）に基づく処理の対象となるコンテンツデータと、受信したユーザ識別情報と同一の、ユーザ識別情報又は共有ユーザ識別情報と、が対応付けて記憶されている場合、当該処理を行うように構成されている、と言うことができる。
【０１１７】
（作動：録画処理）
次に、コンテンツ配信システム１が予約情報に基づいてコンテンツを録画する際のコンテンツ配信システム１の作動について、図７のシーケンス図を参照しながら説明する。
【０１１８】
このコンテンツ配信システム１においては、メディアサーバ４ｂは、放送サービス部ＢＣＳにより送信されたコンテンツデータを常時（すべて）記憶するように構成されている。従って、メディアサーバ４ｂが起動されると、メディア制御機能部６０は、受信開始要求を放送サービス部ＢＣＳへ送信する（ステップＢ７０１）。受信開始要求は、すべての放送局のコンテンツデータの送信を要求する旨を表す情報である。
【０１１９】
放送サービス部ＢＣＳは、受信開始要求を受信すると、すべての放送局のコンテンツデータをメディアサーバ４ｂへ送信する（ステップＣ７０１）。これにより、以降において、コンテンツ記憶部ＣＲは、放送サービス部ＢＣＳにより送信されたコンテンツデータのすべてをメディアサーバ４ｂの記憶装置に記憶させ続ける（ステップＢ７０２、コンテンツ記憶処理工程の一部及びコンテンツ記憶処理手段の一部）。
【０１２０】
その後、記憶装置に記憶されている予約情報に含まれる録画開始日時になると、メディア制御機能部６０は、その予約情報に含まれるコンテンツデータ識別情報と、変更後の録画状態としての「録画中」を表す情報と、を含む録画状態変更指示を、コアＩＭＳ部３０を介してサービス制御機能部４０へ送信する（ステップＢ７０３）。これにより、サービス制御機能部４０は、録画状態変更指示を受信する。
【０１２１】
そして、サービス制御機能部４０は、ユーザプロファイルサーバ機能部５０に記憶されている録画コンテンツ情報から、受信された録画状態変更指示に含まれるコンテンツデータ識別情報を含む録画コンテンツ情報を特定する。更に、サービス制御機能部４０は、特定した録画コンテンツ情報に含まれる録画状態を、上記受信された録画状態変更指示に含まれる情報が表す変更後の録画状態（即ち、「録画中」）に変更（更新）する（ステップＡ７０１、コンテンツ記憶処理工程の一部及びコンテンツ記憶処理手段の一部）。
【０１２２】
その後、記憶装置に記憶されている予約情報に含まれる録画終了日時になると、メディア制御機能部６０は、その予約情報に含まれるコンテンツデータ識別情報と、変更後の録画状態としての「録画終了」を表す情報と、を含む録画状態変更指示を、コアＩＭＳ部３０を介してサービス制御機能部４０へ送信する（ステップＢ７０４）。
【０１２３】
そして、サービス制御機能部４０は、ユーザプロファイルサーバ機能部５０に記憶されている録画コンテンツ情報から、受信された録画状態変更指示に含まれるコンテンツデータ識別情報を含む録画コンテンツ情報を特定する。更に、サービス制御機能部４０は、特定した録画コンテンツ情報に含まれる録画状態を、上記受信された録画状態変更指示に含まれる情報が表す変更後の録画状態（即ち、「録画終了」）に変更（更新）する（ステップＡ７０２、コンテンツ記憶処理工程の一部及びコンテンツ記憶処理手段の一部）。
【０１２４】
このようにして、ユーザプロファイルサーバ機能部５０は、コンテンツ記憶部ＣＲに記憶されているコンテンツデータのうちの、サービス制御機能部４０により受信されたコンテンツ記憶処理要求により特定されるコンテンツを表すコンテンツデータを識別するためのコンテンツデータ識別情報と、そのコンテンツ記憶処理要求の送信を指示したユーザを識別するためのユーザ識別情報と、を対応付けて記憶する。即ち、アプリケーションサーバシステム４は、そのコンテンツデータ識別情報により識別されるコンテンツデータと、そのユーザ識別情報と、を対応付けて記憶している、と言うことができる。
【０１２５】
（作動：録画停止処理）
次に、コンテンツ配信システム１がコンテンツの録画を停止する際のコンテンツ配信システム１の作動について、図８のシーケンス図を参照しながら説明する。
【０１２６】
先ず、ユーザ端末２のユーザは、録画の停止を指示する旨を表す情報を入力する。これにより、ユーザ端末２は、コンテンツ記憶中止処理要求（録画停止要求）と、ユーザ認証成功情報と、端末特定情報と、をコアＩＭＳ部３０を介してサービス制御機能部４０へ送信する（ステップＡ８０１）。これにより、サービス制御機能部４０は、端末特定情報、ユーザ認証成功情報及びコンテンツ記憶中止処理要求を受信する。
【０１２７】
次いで、サービス制御機能部４０は、ユーザプロファイルサーバ機能部５０に記憶されている録画コンテンツテーブルのうちの、受信されたユーザ識別情報及び端末特定情報と対応付けて記憶されている録画コンテンツテーブルを特定する。サービス制御機能部４０は、特定した録画コンテンツテーブルに含まれる録画コンテンツ情報から、録画状態が「録画中」である録画コンテンツ情報を特定する。
【０１２８】
サービス制御機能部４０は、受信されたユーザ識別情報及び端末特定情報と、特定した録画コンテンツ情報に含まれるコンテンツデータ識別情報と、コンテンツ記憶中止処理要求を特定する処理要求特定情報と、に基づいて、上記権限確認処理を行う（ステップＢ８０１）。
【０１２９】
いま、上記第１の条件〜第３の条件の少なくとも１つが成立する場合を想定して説明を続ける。なお、上記第１の条件〜第３の条件のいずれもが成立しない場合には、サービス制御機能部４０は、権限が存在しない旨を表す情報をコアＩＭＳ部３０を介してユーザ端末２へ送信し、後述するステップＢ８０２以降の処理を行わない。
【０１３０】
上記仮定に従えば、サービス制御機能部４０は、上記権限確認処理の実行結果として権限存在情報を出力する。この場合、サービス制御機能部４０は、上記特定した録画コンテンツ情報に含まれる録画状態を「録画未完」を表す情報に変更する（ステップＢ８０２）。
【０１３１】
そして、サービス制御機能部４０は、録画停止完了通知をコアＩＭＳ部３０を介してユーザ端末２へ送信する（ステップＢ８０３）。そして、ユーザ端末２は、録画停止完了通知を受信すると、録画の停止が完了した旨を表す画像を図示しないテレビ受像機に表示させる。
【０１３２】
（作動：コンテンツ一覧取得処理）
次に、コンテンツ配信システム１がユーザ端末２のユーザの入力に応じて、録画されたコンテンツの一覧を取得する際のコンテンツ配信システム１の作動について、図９のシーケンス図を参照しながら説明する。
【０１３３】
先ず、ユーザ端末２は、ポータル画面要求をサービス選択機能部２０へ送信する（ステップＡ９０１）。これにより、サービス選択機能部２０は、受信したポータル画面要求に応じてポータル画面を表すポータル画面情報をユーザ端末２へ送信する（ステップＢ９０１）。そして、ユーザ端末２は、受信したポータル画面情報が表す画像を図示しないテレビ受像機に表示させる。この画像には、コンテンツ一覧を要求する旨を指示するためのメニューが含まれる。
【０１３４】
そして、ユーザ端末２のユーザは、コンテンツ一覧を要求する旨を指示するためのメニューを選択する情報を入力する。これにより、ユーザ端末２は、コンテンツ一覧送信処理要求（コンテンツ一覧要求）と、ユーザ認証成功情報と、端末特定情報と、をコアＩＭＳ部３０を介してサービス制御機能部４０へ送信する（ステップＡ９０２）。
【０１３５】
これにより、サービス制御機能部４０は、端末特定情報、ユーザ認証成功情報及びコンテンツ一覧送信処理要求を受信する。次いで、サービス制御機能部４０は、ユーザプロファイルサーバ機能部５０に記憶されている録画コンテンツテーブルのうちの、受信されたユーザ識別情報及び端末特定情報と対応付けて記憶されている録画コンテンツテーブルを特定する。
【０１３６】
そして、サービス制御機能部４０は、特定した録画コンテンツテーブルに含まれる録画コンテンツ情報から、録画状態が「録画終了」又は「録画未完」である録画コンテンツ情報を抽出する。次いで、サービス制御機能部４０は、抽出した録画コンテンツ情報に基づいて、録画されたコンテンツ（記憶されているコンテンツデータ）の一覧を表すコンテンツ一覧情報を生成（取得）する（ステップＣ９０１）。
【０１３７】
次いで、サービス制御機能部４０は、取得したコンテンツ一覧情報をコアＩＭＳ部３０を介してユーザ端末２へ送信する（ステップＣ９０２）。そして、ユーザ端末２は、コンテンツ一覧情報を受信すると、コンテンツ一覧情報が表すコンテンツの一覧を図示しないテレビ受像機に表示させる。
【０１３８】
（作動：コンテンツ視聴処理）
次に、コンテンツ配信システム１がユーザ端末２のユーザの入力に応じて、記憶されているコンテンツデータをユーザ端末２へ送信する際のコンテンツ配信システム１の作動について、図１０のシーケンス図を参照しながら説明する。
【０１３９】
テレビ受像機に録画されたコンテンツの一覧が表示されている状態において、ユーザ端末２のユーザは、コンテンツを選択し、選択したコンテンツを特定するためのコンテンツ特定情報を入力する。コンテンツ特定情報は、コンテンツデータ識別情報を含む。
【０１４０】
これにより、ユーザ端末２は、入力されたコンテンツ特定情報を含むコンテンツ送信処理要求（コンテンツ視聴要求）と、ユーザ認証成功情報と、端末特定情報と、をコアＩＭＳ部３０を介してサービス制御機能部４０へ送信する（ステップＡ１００１）。
【０１４１】
これにより、サービス制御機能部４０は、端末特定情報、ユーザ認証成功情報及びコンテンツ送信処理要求を受信する。次いで、サービス制御機能部４０は、受信した端末特定情報、ユーザ識別情報及びコンテンツデータ識別情報と、コンテンツ送信処理要求を特定する処理要求特定情報と、に基づいて、上記権限確認処理を行う（ステップＣ１００１）。
【０１４２】
いま、上記第１の条件〜第３の条件の少なくとも１つが成立する場合を想定して説明を続ける。なお、上記第１の条件〜第３の条件のいずれもが成立しない場合には、サービス制御機能部４０は、権限が存在しない旨を表す情報をコアＩＭＳ部３０を介してユーザ端末２へ送信し、後述するステップＣ１００２以降の処理を行わない。
【０１４３】
上記仮定に従えば、サービス制御機能部４０は、上記権限確認処理の実行結果として権限存在情報を出力する。この場合、サービス制御機能部４０は、コンテンツ送信指示をコアＩＭＳ部３０を介してメディア制御機能部６０へ送信する（ステップＣ１００２）。コンテンツ送信指示は、端末特定情報、ユーザ識別情報、及び、コンテンツデータ識別情報を含む。これにより、メディア制御機能部６０は、コンテンツ送信指示を受信する。
【０１４４】
そして、メディア制御機能部６０は、コンテンツ送信指示に含まれるコンテンツデータ識別情報及び端末特定情報に基づいて、コンテンツデータを送信するメディア配信機能部７０を決定する。更に、メディア制御機能部６０は、決定したメディア配信機能部７０（本例では、メディアサーバ４ｂ）を特定するためのメディア配信特定情報と、コンテンツデータ識別情報と、をコアＩＭＳ部３０を介してサービス制御機能部４０へ送信する（ステップＤ１００１）。
【０１４５】
これにより、サービス制御機能部４０は、メディア配信特定情報及びコンテンツデータ識別情報を受信する。そして、サービス制御機能部４０は、受信したメディア配信特定情報及びコンテンツデータ識別情報に基づいて、コンテンツデータ識別情報により識別されるコンテンツデータを送信するために必要とされる通信帯域を決定する。
【０１４６】
更に、サービス制御機能部４０は、決定した通信帯域を表す通信帯域情報と、受信したメディア配信特定情報及びコンテンツデータ識別情報と、を含む帯域確保指示をコアＩＭＳ部３０へ送信する（ステップＣ１００３）。
【０１４７】
コアＩＭＳ部３０は、帯域確保指示を受信すると、メディアサーバ４ｂとユーザ端末２との間の接続（セッション）を確立する（接続確立工程）。更に、コアＩＭＳ部３０は、受信した通信帯域情報と、受信したメディア配信特定情報により特定されるメディアサーバ４ｂとユーザ端末２との間の通信経路を特定する通信経路特定情報と、をトランスポート機能部８０へ送信する。これにより、トランスポート機能部８０は、受信した通信経路特定情報により特定される通信経路にて、受信した通信帯域情報が表す通信帯域を確保するための処理（帯域確保処理）を行う（ステップＢ１００１）。
【０１４８】
そして、コアＩＭＳ部３０は、帯域確保処理が完了すると、送信準備完了通知をユーザ端末２へ送信する（ステップＢ１００２）。送信準備完了通知は、受信されたメディア配信特定情報及びコンテンツデータ識別情報を含む。
【０１４９】
そして、ユーザ端末２は、送信準備完了通知を受信すると、送信準備完了通知に含まれるメディア配信特定情報により特定されるメディア配信機能部７０（本例では、メディアサーバ４ｂ）へ、コンテンツ送信要求を送信する（ステップＡ１００２）。コンテンツ送信要求は、送信準備完了通知に含まれるコンテンツデータ識別情報を含み、そのコンテンツデータ識別情報により識別されるコンテンツデータの送信を要求する旨の情報である。
【０１５０】
そして、メディア配信機能部７０は、コンテンツ送信要求を受信すると、コンテンツ記憶部ＣＲに記憶されているコンテンツデータのうちの、受信したコンテンツ送信要求に含まれるコンテンツデータ識別情報により識別されるコンテンツデータをユーザ端末２へ送信する（ステップＥ１００１、コンテンツ配信工程及びコンテンツ配信手段）。このとき、メディア配信機能部７０は、コアＩＭＳ部３０により確立されたセッションを用いてデータを送信する。これにより、ユーザ端末２は、コンテンツデータを受信し、受信したコンテンツデータが表すコンテンツ（本例では、動画）を図示しないテレビ受像機に出力させる。
【０１５１】
（作動：コンテンツ視聴中止処理）
次に、コンテンツ配信システム１がユーザ端末２のユーザの入力に応じて、コンテンツデータの送信を中止する際のコンテンツ配信システム１の作動について、図１１のシーケンス図を参照しながら説明する。
【０１５２】
テレビ受像機により録画されたコンテンツが出力されている状態において、ユーザ端末２のユーザは、視聴の中止を指示する旨を表す情報を入力する。これにより、ユーザ端末２は、コンテンツ送信中止要求をメディア配信機能部７０へ送信する（ステップＡ１１０１）。これにより、メディア配信機能部７０は、ユーザ端末２へのコンテンツデータの送信を終了（中止）する（ステップＣ１１０２）。
【０１５３】
更に、ユーザ端末２は、端末特定情報、ユーザ認証成功情報、及び、コンテンツ送信中止処理要求（コンテンツ視聴中止要求）をコアＩＭＳ部３０を介してサービス制御機能部４０へ送信する（ステップＡ１１０２）。これにより、サービス制御機能部４０は、端末特定情報、ユーザ認証成功情報及びコンテンツ送信中止処理要求を受信する。
【０１５４】
そして、サービス制御機能部４０は、受信した端末特定情報により特定されるユーザ端末２へのコンテンツデータの送信を中止した旨を表すコンテンツ送信中止通知をコアＩＭＳ部３０を介してメディア制御機能部６０へ送信する（ステップＢ１１０１）。
【０１５５】
（作動：コンテンツ削除処理）
次に、コンテンツ配信システム１が録画されたコンテンツを削除する際のコンテンツ配信システム１の作動について、図１２のシーケンス図を参照しながら説明する。
【０１５６】
テレビ受像機に録画されたコンテンツの一覧が表示されている状態において、ユーザ端末２のユーザは、コンテンツを選択し、選択したコンテンツを特定するためのコンテンツ特定情報を入力する。コンテンツ特定情報は、コンテンツデータ識別情報を含む。
【０１５７】
これにより、ユーザ端末２は、入力されたコンテンツ特定情報を含むコンテンツ削除処理要求（コンテンツ削除要求）と、ユーザ認証成功情報と、端末特定情報と、をコアＩＭＳ部３０を介してサービス制御機能部４０へ送信する（ステップＡ１２０１）。
【０１５８】
これにより、サービス制御機能部４０は、端末特定情報、ユーザ認証成功情報及びコンテンツ削除処理要求を受信する。次いで、サービス制御機能部４０は、受信した端末特定情報、ユーザ識別情報及びコンテンツデータ識別情報と、コンテンツ削除処理要求を特定する処理要求特定情報と、に基づいて、上記権限確認処理を行う（ステップＢ１２０１）。
【０１５９】
いま、上記第１の条件〜第３の条件の少なくとも１つが成立する場合を想定して説明を続ける。なお、上記第１の条件〜第３の条件のいずれもが成立しない場合には、サービス制御機能部４０は、権限が存在しない旨を表す情報をコアＩＭＳ部３０を介してユーザ端末２へ送信し、後述するステップＢ１２０２以降の処理を行わない。
【０１６０】
上記仮定に従えば、サービス制御機能部４０は、上記権限確認処理の実行結果として権限存在情報を出力する。この場合、サービス制御機能部４０は、ユーザプロファイルサーバ機能部５０に記憶されている録画コンテンツテーブルのうちの、受信されたユーザ識別情報及び端末特定情報と対応付けて記憶されている録画コンテンツテーブルを特定する。
【０１６１】
更に、サービス制御機能部４０は、特定した録画コンテンツテーブルに含まれる録画コンテンツ情報から、受信されたコンテンツデータ識別情報を含む録画コンテンツ情報を特定する。そして、サービス制御機能部４０は、特定した録画コンテンツ情報を記憶装置（録画コンテンツテーブル）から削除する（ステップＢ１２０２）。
【０１６２】
そして、サービス制御機能部４０は、削除完了通知をコアＩＭＳ部３０を介してユーザ端末２へ送信する（ステップＢ１２０３）。そして、ユーザ端末２は、削除完了通知を受信すると、コンテンツの削除が完了した旨を表す画像を図示しないテレビ受像機に表示させる。
【０１６３】
以上、説明したように、本発明によるコンテンツ配信システムの第１実施形態によれば、コンテンツ配信システム１は、ユーザ識別情報とコンテンツデータとを対応付けて記憶する。更に、コンテンツ配信システム１は、受信したユーザ識別情報と対応付けて記憶されているコンテンツデータの送信が要求された場合に、そのユーザ識別情報を送信してきたユーザ端末２へそのコンテンツデータを送信する。これにより、あるユーザの要求に応じて記憶されたコンテンツデータが表すコンテンツが他のユーザ（権限を有しないユーザ）により視聴されることを防止することができる。
【０１６４】
更に、上記第１実施形態において、アプリケーションサーバシステム４は、ユーザ識別情報により識別されるユーザが正当なユーザであると認証された場合に、そのユーザ識別情報及びコンテンツ記憶処理要求に基づく処理を行う。これにより、正当でないユーザによって送信されたコンテンツ記憶処理要求に基づく処理をアプリケーションサーバシステム４が行うことを防止することができる。この結果、あるユーザの要求に応じて記憶されたコンテンツデータが表すコンテンツが他のユーザにより視聴されることをより一層確実に防止することができる。
【０１６５】
加えて、上記第１実施形態によれば、あるユーザの要求に応じて記憶されたコンテンツデータの一覧が他のユーザにより閲覧されることを防止することができる。更に、あるユーザの要求に応じて記憶されたコンテンツデータが他のユーザにより削除されることを防止することができる。
【０１６６】
更に、上記第１実施形態によれば、コンテンツ配信システム１は、記憶されているコンテンツデータを共有するユーザを識別するための共有ユーザ識別情報を、当該コンテンツデータと対応付けて記憶する。加えて、サービス制御機能部４０は、記憶コンテンツ処理要求に基づく処理の対象となるコンテンツデータと、受信したユーザ識別情報と同一の、ユーザ識別情報又は共有ユーザ識別情報と、が対応付けて記憶されている場合、当該処理を行うように構成されている。
【０１６７】
これにより、コンテンツ配信システム１は、第１のユーザから記憶コンテンツ処理要求を受け付けた場合において、その記憶コンテンツ処理要求に基づく処理の対象となるコンテンツデータが第２のユーザの要求に応じて記憶されたデータであっても、第１のユーザと共有することが設定されている場合には、そのコンテンツデータに対する処理を行う。この結果、例えば、第２のユーザによって記憶されたコンテンツデータが表すコンテンツを、第１のユーザ及び第２のユーザ（特定のユーザ）のみに視聴させることができる。即ち、ユーザの利便性を向上させることができる。
【０１６８】
＜第１実施形態の第１変形例＞
次に、本発明の第１実施形態の第１変形例に係るコンテンツ配信システムについて説明する。この第１変形例に係るコンテンツ配信システムは、上記第１実施形態に係るコンテンツ配信システムに対して、サービス制御サーバ４ａ（サービス制御機能部４０）がユーザ認証処理を行う点において相違している。従って、以下、かかる相違点を中心として説明する。
【０１６９】
この第１変形例に係るユーザプロファイルサーバ機能部５０は、ユーザ認証用基準情報を予め記憶している。即ち、ユーザプロファイルサーバ機能部５０は、ユーザ認証用基準情報記憶手段を構成している。
【０１７０】
（作動：認証処理）
このコンテンツ配信システム１に係るユーザ端末２は、端末認証成功情報をコアＩＭＳ部３０から受信した後、図１３に示したように、ユーザ認証用情報の入力を受け付けると、受け付けたユーザ認証用情報を含むユーザ認証処理要求をコアＩＭＳ部３０を介してサービス制御機能部４０へ送信する（ステップＡ１３０１）。
【０１７１】
サービス制御機能部４０は、受信したユーザ認証処理要求に含まれるユーザ認証用情報と、ユーザプロファイルサーバ機能部５０に記憶されているユーザ認証用基準情報と、に基づいてユーザ認証処理を行う（ステップＢ１３０１）。そして、サービス制御機能部４０は、ユーザ識別情報により識別されるユーザが正当なユーザであると認証された場合、ユーザ認証成功情報をコアＩＭＳ部３０を介してユーザ端末２へ送信する（ステップＢ１３０２）。
【０１７２】
この第１変形例によっても、上記第１実施形態と同様の作用及び効果を奏することができる。
【０１７３】
＜第１実施形態の第２変形例＞
次に、本発明の第１実施形態の第２変形例に係るコンテンツ配信システムについて説明する。この第２変形例に係るコンテンツ配信システムは、上記第１実施形態に係るコンテンツ配信システムに対して、ポータルサーバ５（サービス選択機能部２０）がユーザ認証処理を行う点において相違している。従って、以下、かかる相違点を中心として説明する。
【０１７４】
この第２変形例に係るユーザプロファイルサーバ機能部５０は、ユーザ認証用基準情報を予め記憶している。即ち、ユーザプロファイルサーバ機能部５０は、ユーザ認証用基準情報記憶手段を構成している。また、ポータルサーバ５とサービス制御サーバ４ａ（ユーザプロファイルサーバ機能部５０）とが通信可能に構成されている。
【０１７５】
（作動：認証処理）
このコンテンツ配信システム１に係るユーザ端末２は、端末認証成功情報をコアＩＭＳ部３０から受信した後、図１４に示したように、ユーザ認証用情報の入力を受け付けると、受け付けたユーザ認証用情報を含むユーザ認証処理要求をポータルサーバ５（サービス選択機能部２０）へ送信する（ステップＡ１４０１）。
【０１７６】
サービス選択機能部２０は、受信したユーザ認証処理要求に含まれるユーザ認証用情報と、ユーザプロファイルサーバ機能部５０に記憶されているユーザ認証用基準情報と、に基づいてユーザ認証処理を行う（ステップＢ１４０１）。そして、サービス選択機能部２０は、ユーザ識別情報により識別されるユーザが正当なユーザであると認証された場合、ユーザ認証成功情報をユーザ端末２へ送信する（ステップＢ１４０２）。
【０１７７】
この第２変形例によっても、上記第１実施形態と同様の作用及び効果を奏することができる。
【０１７８】
＜第１実施形態の第３変形例＞
次に、本発明の第１実施形態の第３変形例に係るコンテンツ配信システムについて説明する。この第３変形例に係るコンテンツ配信システムは、上記第１実施形態に係るコンテンツ配信システムに対して、サービス制御サーバ４ａが録画制御部を有する点において相違している。従って、以下、かかる相違点を中心として説明する。
【０１７９】
（作動：録画処理）
このコンテンツ配信システム１に係るサービス制御サーバ４ａ（サービス制御機能部４０）は、コンテンツ記憶部ＣＲがコンテンツデータの記憶を開始した後、図１５に示したように、録画コンテンツ情報に含まれる録画状態を変更する。
【０１８０】
具体的には、サービス制御機能部４０は、ユーザプロファイルサーバ機能部５０に記憶されている録画コンテンツ情報に含まれる録画開始日時になると、その録画コンテンツ情報に含まれる録画状態を「録画中」を表す情報に変更（更新）する（ステップＡ１５０１、コンテンツ記憶処理工程の一部及びコンテンツ記憶処理手段の一部）。
【０１８１】
その後、ユーザプロファイルサーバ機能部５０に記憶されている録画コンテンツ情報に含まれる録画終了日時になると、サービス制御機能部４０は、その録画コンテンツ情報に含まれる録画状態を「録画終了」を表す情報に変更（更新）する（ステップＡ１５０２、コンテンツ記憶処理工程の一部及びコンテンツ記憶処理手段の一部）。
【０１８２】
この第３変形例によっても、上記第１実施形態と同様の作用及び効果を奏することができる。
【０１８３】
＜第１実施形態の第４変形例＞
次に、本発明の第１実施形態の第４変形例に係るコンテンツ配信システムについて説明する。この第４変形例に係るコンテンツ配信システムは、上記第１実施形態に係るコンテンツ配信システムに対して、コンテンツ記憶部ＣＲが予約情報により特定されるコンテンツデータのみを記憶する点において相違している。従って、以下、かかる相違点を中心として説明する。
【０１８４】
このコンテンツ配信システム１に係る受信要求部６６は、予約情報記憶部６３に記憶されている予約情報に含まれる録画開始日時になると、受信開始要求を放送サービス部ＢＣＳへ送信する。本例では、受信開始要求は、上記予約情報に含まれる放送サービス識別情報により識別される放送局のコンテンツデータの送信を要求する旨を表す情報である。
【０１８５】
更に、受信要求部６６は、予約情報記憶部６３に記憶されている予約情報に含まれる録画終了日時になると、受信終了要求を放送サービス部ＢＣＳへ送信する。本例では、受信終了要求は、上記予約情報に含まれる放送サービス識別情報により識別される放送局のコンテンツデータの送信の中止を要求する旨を表す情報である。
【０１８６】
（作動：録画処理）
このコンテンツ配信システム１に係るメディアサーバ４ｂ（メディア制御機能部６０）は、記憶装置に記憶されている予約情報に含まれる録画開始日時になると、図１６に示したように、受信開始要求を放送サービス部ＢＣＳへ送信する（ステップＢ１６０１）。更に、上記ステップＢ７０３と同様に、メディア制御機能部６０は、録画状態変更指示を、コアＩＭＳ部３０を介してサービス制御機能部４０へ送信する（ステップＢ１６０２）。
【０１８７】
これにより、サービス制御機能部４０は、ユーザプロファイルサーバ機能部５０に記憶されている録画コンテンツ情報のうちの、録画状態変更指示により特定される録画コンテンツ情報に含まれる録画状態を「録画中」を表す情報に変更（更新）する（ステップＡ１６０１、コンテンツ記憶処理工程の一部及びコンテンツ記憶処理手段の一部）。
【０１８８】
一方、放送サービス部ＢＣＳは、受信開始要求を受信すると、受信した受信開始要求に応じた放送局のコンテンツデータをメディアサーバ４ｂへ送信する（ステップＣ１６０１）。これにより、コンテンツ記憶部ＣＲは、放送サービス部ＢＣＳにより送信されたコンテンツデータをメディアサーバ４ｂの記憶装置に記憶させ始める（ステップＢ１６０３、コンテンツ記憶処理工程の一部及びコンテンツ記憶処理手段の一部）。
【０１８９】
その後、記憶装置に記憶されている予約情報に含まれる録画開始日時になると、メディア制御機能部６０は、受信終了要求を放送サービス部ＢＣＳへ送信する（ステップＢ１６０４）。これにより、放送サービス部ＢＣＳは、受信終了要求に応じた放送局のコンテンツデータの送信を中止する。この結果、コンテンツ記憶部ＣＲは、当該コンテンツデータの記憶を終了する。
【０１９０】
更に、更に、上記ステップＢ７０４と同様に、メディア制御機能部６０は、録画状態変更指示を、コアＩＭＳ部３０を介してサービス制御機能部４０へ送信する（ステップＢ１６０５）。
【０１９１】
これにより、サービス制御機能部４０は、ユーザプロファイルサーバ機能部５０に記憶されている録画コンテンツ情報のうちの、録画状態変更指示により特定される録画コンテンツ情報に含まれる録画状態を「録画終了」を表す情報に変更（更新）する（ステップＡ１６０２、コンテンツ記憶処理工程の一部及びコンテンツ記憶処理手段の一部）。
【０１９２】
（作動：録画停止処理）
このコンテンツ配信システム１に係るサービス制御機能部４０は、権限確認処理の実行結果として権限存在情報を出力した後、図１７に示したように、録画停止指示をコアＩＭＳ部３０を介してメディア制御機能部６０へ送信する（ステップＢ１７０２）。録画停止指示は、ステップＢ８０１と同様のステップＢ１７０１にて特定した録画コンテンツ情報に含まれる放送サービス識別情報及びコンテンツデータ識別情報を含む。
【０１９３】
そして、メディア制御機能部６０は、録画停止指示を受信すると、受信した録画停止指示に含まれる放送サービス識別情報により識別される放送局のコンテンツデータの送信を中止する旨を要求する受信終了要求を放送サービス部ＢＣＳへ送信する（ステップＣ１７０１）。これにより、放送サービス部ＢＣＳは、その放送局のコンテンツデータの送信を中止する。この結果、コンテンツ記憶部ＣＲは、当該コンテンツデータの記憶を終了する。
【０１９４】
なお、メディア制御機能部６０は、ユーザの指示に応じて、録画を停止したコンテンツのコンテンツデータをコンテンツ記憶部ＣＲから削除するように構成されていてもよい。
【０１９５】
そして、メディア制御機能部６０は、録画状態変更指示を、コアＩＭＳ部３０を介してサービス制御機能部４０へ送信する（ステップＣ１７０２）。この録画状態変更指示は、受信された録画停止指示に含まれるコンテンツデータ識別情報と、変更後の録画状態としての「録画未完」を表す情報と、を含む。
【０１９６】
これにより、サービス制御機能部４０は、録画状態変更指示を受信する。更に、サービス制御機能部４０は、ユーザプロファイルサーバ機能部５０に記憶されている録画コンテンツ情報のうちの、受信された（ユーザ端末２により送信された）ユーザ識別情報及び端末特定情報と対応付けて記憶されている録画コンテンツテーブルを特定する。そして、サービス制御機能部４０は、特定した録画コンテンツテーブルに含まれる録画コンテンツ情報から、受信された録画状態変更指示に含まれるコンテンツデータ識別情報を含む録画コンテンツ情報を特定する。
【０１９７】
次いで、サービス制御機能部４０は、特定した録画コンテンツ情報に含まれる録画状態を、受信された録画状態変更指示に含まれる変更後の録画状態（即ち、「録画未完」）に変更（更新）する（ステップＢ１７０３）。その後、サービス制御機能部４０は、ステップＢ８０３と同様に、録画停止完了通知をコアＩＭＳ部３０を介してユーザ端末２へ送信する（ステップＢ１７０４）。
【０１９８】
（作動：コンテンツ削除処理）
このコンテンツ配信システム１に係るサービス制御機能部４０は、権限確認処理の実行結果として権限存在情報を出力した後、図１８に示したように、コンテンツ削除指示をコアＩＭＳ部３０を介してメディア制御機能部６０へ送信する（ステップＢ１８０２）。コンテンツ削除指示は、ステップＢ１２０１と同様のステップＢ１８０１にて特定した録画コンテンツ情報に含まれるコンテンツデータ識別情報を含む。
【０１９９】
そして、メディア制御機能部６０は、コンテンツ削除指示を受信すると、コンテンツ記憶部ＣＲに記憶されているコンテンツデータのうちの、受信したコンテンツ削除指示に含まれるコンテンツデータ識別情報により識別されるコンテンツデータを削除する（ステップＣ１８０１）。そして、メディア制御機能部６０は、当該コンテンツデータ識別情報を含む削除完了通知をコアＩＭＳ部３０を介してサービス制御機能部４０へ送信する（ステップＣ１８０２）。
【０２００】
サービス制御機能部４０は、削除完了通知を受信すると、図１２のステップＢ１２０２及びステップＢ１２０３と同様の処理を行うことにより、削除完了通知に応じた録画コンテンツ情報をユーザプロファイルサーバ機能部５０から削除する（ステップＢ１８０３及びステップＢ１８０４）。
【０２０１】
この第４変形例によっても、上記第１実施形態と同様の作用及び効果を奏することができる。
【０２０２】
＜第１実施形態の第５変形例＞
次に、本発明の第１実施形態の第５変形例に係るコンテンツ配信システムについて説明する。この第５変形例に係るコンテンツ配信システムは、上記第１実施形態に係るコンテンツ配信システムに対して、サービス制御サーバ４ａ及びメディアサーバ４ｂの両方が録画制御部を有する点において相違している。従って、以下、かかる相違点を中心として説明する。
【０２０３】
このコンテンツ配信システム１に係るサービス制御機能部４０は、図１９に示したように、録画制御部４８を含む。録画制御部４８は、ユーザプロファイルサーバ機能部５０に記憶されている録画コンテンツ情報に含まれる録画開始日時になると、その録画コンテンツ情報に含まれる録画状態を「録画中」に変更する。また、録画制御部４８は、ユーザプロファイルサーバ機能部５０に記憶されている録画コンテンツ情報に含まれる録画終了日時になると、その録画コンテンツ情報に含まれる録画状態を「録画終了」に変更する。
【０２０４】
録画制御部６４は、予約情報記憶部６３に記憶されている予約情報に含まれる録画開始日時になると、その予約情報に含まれる放送サービス識別情報により識別される放送局のコンテンツデータの送信を要求する旨を表す受信開始要求を放送サービス部ＢＣＳへ送信する。また、録画制御部６４は、予約情報記憶部６３に記憶されている予約情報に含まれる録画終了日時になると、その予約情報に含まれる放送サービス識別情報により識別される放送局のコンテンツデータの送信の中止を要求する旨を表す受信終了要求を放送サービス部ＢＣＳへ送信する。
【０２０５】
（作動：録画処理）
このコンテンツ配信システム１に係るメディアサーバ４ｂ（メディア制御機能部６０）は、図２０に示したように、記憶装置に記憶されている予約情報に含まれる録画開始日時になると、受信開始要求を放送サービス部ＢＣＳへ送信する（ステップＢ２００１）。
【０２０６】
これにより、放送サービス部ＢＣＳは、受信した受信開始要求に応じた放送局のコンテンツデータをメディアサーバ４ｂへ送信する（ステップＣ２００１）。そして、コンテンツ記憶部ＣＲは、放送サービス部ＢＣＳにより送信されたコンテンツデータをメディアサーバ４ｂの記憶装置に記憶させ始める（ステップＢ２００２、コンテンツ記憶処理工程の一部及びコンテンツ記憶処理手段の一部）。
【０２０７】
一方、サービス制御機能部４０は、ユーザプロファイルサーバ機能部５０に記憶されている録画コンテンツ情報に含まれる録画開始日時になると、その録画コンテンツ情報に含まれる録画状態を「録画中」に変更する（ステップＡ２００１）。
【０２０８】
その後、メディア制御機能部６０は、記憶装置に記憶されている予約情報に含まれる録画終了日時になると、受信終了要求を放送サービス部ＢＣＳへ送信する（ステップＢ２００３）。
【０２０９】
これにより、放送サービス部ＢＣＳは、受信した受信終了要求に応じた放送局のコンテンツデータの送信を中止する。その結果、コンテンツ記憶部ＣＲは、放送サービス部ＢＣＳにより送信されたコンテンツデータの記憶を終了する（コンテンツ記憶処理工程の一部及びコンテンツ記憶処理手段の一部）。
【０２１０】
一方、サービス制御機能部４０は、ユーザプロファイルサーバ機能部５０に記憶されている録画コンテンツ情報に含まれる録画終了日時になると、その録画コンテンツ情報に含まれる録画状態を「録画終了」に変更する（ステップＡ２００２）。
【０２１１】
この第５変形例によっても、上記第１実施形態と同様の作用及び効果を奏することができる。
【０２１２】
＜第１実施形態の第６変形例＞
次に、本発明の第１実施形態の第６変形例に係るコンテンツ配信システムについて説明する。この第６変形例に係るコンテンツ配信システムは、上記第１実施形態に係るコンテンツ配信システムに対して、ユーザがコンテンツの視聴を中止する場合に、ユーザ端末２からメディアサーバ４ｂへコンテンツ送信中止要求を送信しない点において相違している。従って、以下、かかる相違点を中心として説明する。
【０２１３】
（作動：コンテンツ視聴中止処理）
このコンテンツ配信システム１に係るユーザ端末２は、図２１に示したように、視聴の中止を指示する旨を表す情報がユーザにより入力されると、端末特定情報、ユーザ認証成功情報、及び、コンテンツ送信中止処理要求（コンテンツ視聴中止要求）をコアＩＭＳ部３０を介してサービス制御機能部４０へ送信する（ステップＡ２１０１）。これにより、サービス制御機能部４０は、端末特定情報、ユーザ認証成功情報及びコンテンツ送信中止処理要求を受信する。
【０２１４】
そして、サービス制御機能部４０は、コンテンツ送信中止指示をコアＩＭＳ部３０を介してメディア制御機能部６０へ送信する（ステップＢ２１０１）。コンテンツ送信中止指示は、受信した端末特定情報を含む。
【０２１５】
そして、メディア制御機能部６０は、コンテンツ送信中止指示を受信すると、受信したコンテンツ送信中止指示に含まれる端末特定情報により特定されるユーザ端末２へのコンテンツデータの送信を中止させるようにメディア配信機能部７０を制御する。これにより、メディア配信機能部７０は、そのユーザ端末２へのコンテンツデータの送信を中止（終了）する（ステップＣ２１０２）。
【０２１６】
この第６変形例によっても、上記第１実施形態と同様の作用及び効果を奏することができる。
【０２１７】
なお、サービス制御機能部４０は、端末特定情報、ユーザ認証成功情報及びコンテンツ送信中止処理要求を受信した場合、図８のステップＢ８０１と同様の権限確認処理を実行し、権限存在情報を出力した場合にのみ、コンテンツ送信中止指示をメディア制御機能部６０へ送信するように構成されていてもよい。
【０２１８】
＜第２実施形態＞
次に、本発明の第２実施形態に係るコンテンツ配信システムについて説明する。第２実施形態に係るコンテンツ配信システムは、上記第１実施形態に係るコンテンツ配信システムに対して、サービス制御機能部４０とメディア制御機能部６０とが情報を直接授受できるように構成されている点において相違している。従って、以下、かかる相違点を中心として説明する。
【０２１９】
このコンテンツ配信システム１に係る情報送受信部４１は、図２２に示したように、コアＩＭＳ部３０を介することなく種々の情報（要求、指示及び通知等）をメディア制御機能部６０へ送信する。更に、情報送受信部４１は、メディア制御機能部６０により送信された種々の情報をコアＩＭＳ部３０を介することなく受信する。なお、本例では、種々の情報は、ＳＩＰメッセージに含まれる。
【０２２０】
従って、例えば、上記第１実施形態においては、サービス制御機能部４０は、図４のステップＣ４０１にて、録画予約指示をコアＩＭＳ部３０を介してメディア制御機能部６０へ送信していた。一方、第２実施形態においては、図２３のステップＢ２３０１にて、サービス制御機能部４０は、録画予約指示を直接（コアＩＭＳ部３０を介することなく）メディア制御機能部６０へ送信する。
【０２２１】
同様に、上記第１実施形態においては、メディア制御機能部６０は、図４のステップＤ４０２にて、予約完了通知をコアＩＭＳ部３０を介してサービス制御機能部４０へ送信していた。一方、第２実施形態においては、図２３のステップＣ２３０２にて、メディア制御機能部６０は、予約完了通知を直接（コアＩＭＳ部３０を介することなく）サービス制御機能部４０へ送信する。
【０２２２】
なお、ここでは、録画処理における処理を例として説明したが、他の処理についても同様である。
【０２２３】
この第２実施形態によっても、上記第１実施形態と同様の作用及び効果を奏することができる。更に、この第２実施形態によれば、接続制御システム３が情報を転送することによる接続制御システム３の処理負荷を軽減することができる。
【０２２４】
＜第３実施形態＞
次に、本発明の第３実施形態に係るコンテンツ配信システムについて説明する。第３実施形態に係るコンテンツ配信システムは、上記第１実施形態に係るコンテンツ配信システムに対して、ポータルサーバ５が予約更新部及び予約抽出部を有する点において相違している。従って、以下、かかる相違点を中心として説明する。
【０２２５】
このコンテンツ配信システム１に係るサービス選択機能部２０は、図２４に示したように、予約抽出部４３及びコンテンツ抽出部４４と同様の予約抽出部２２及びコンテンツ抽出部２３を含む。一方、サービス制御機能部４０は、予約抽出部４３及びコンテンツ抽出部４４を含まない。
【０２２６】
また、ポータルサーバ５とサービス制御サーバ４ａ（ユーザプロファイルサーバ機能部５０）とが通信可能に構成されている。本例では、ポータルサーバ５は、ＳＩＰメッセージを授受することによりサービス制御サーバ４ａと通信する。なお、ユーザ端末２は、ＨＴＴＰメッセージを授受することによりポータルサーバ５と通信する。
【０２２７】
（作動：予約一覧取得処理）
このコンテンツ配信システム１に係るユーザ端末２は、予約一覧を要求する旨を指示するためのメニューを選択する情報がユーザにより入力されると、図２５に示したように、予約一覧送信処理要求（予約一覧要求）と、ユーザ認証成功情報と、端末特定情報と、をポータルサーバ５（サービス選択機能部２０）へ送信する（ステップＡ２５０１）。
【０２２８】
これにより、サービス選択機能部２０は、端末特定情報、ユーザ認証成功情報及び予約一覧送信処理要求を受信する。次いで、サービス選択機能部２０は、図５のステップＣ５０１と同様に、予約一覧情報を生成（取得）する（ステップＢ２５０１）。そして、サービス選択機能部２０は、取得した予約一覧情報をユーザ端末２へ送信する（ステップＢ２５０２）。
【０２２９】
なお、ここでは、予約一覧取得処理における処理を例として説明したが、コンテンツ一覧取得処理についても同様である。
【０２３０】
この第３実施形態によっても、上記第１実施形態と同様の作用及び効果を奏することができる。
【０２３１】
＜第４実施形態＞
次に、本発明の第４実施形態に係るコンテンツ配信システムについて説明する。第４実施形態に係るコンテンツ配信システムは、上記第１実施形態に係るコンテンツ配信システムに対して、ユーザ端末２からの予約一覧要求及びコンテンツ一覧要求をポータルサーバ５がサービス制御サーバ４ａへ転送する点において相違している。従って、以下、かかる相違点を中心として説明する。
【０２３２】
このコンテンツ配信システム１に係るポータルサーバ５とサービス制御サーバ４ａ（ユーザプロファイルサーバ機能部５０）とは、図２６に示したように、通信可能に構成されている。本例では、ポータルサーバ５は、ＳＩＰメッセージを授受することによりサービス制御サーバ４ａと通信する。なお、ユーザ端末２は、ＨＴＴＰメッセージを授受することによりポータルサーバ５と通信する。
【０２３３】
（作動：予約一覧取得処理）
このコンテンツ配信システム１に係るユーザ端末２は、予約一覧を要求する旨を指示するためのメニューを選択する情報がユーザにより入力されると、図２７に示したように、予約一覧送信処理要求（予約一覧要求）と、ユーザ認証成功情報と、端末特定情報と、をポータルサーバ５（サービス選択機能部２０）へ送信する（ステップＡ２７０１）。
【０２３４】
これにより、サービス選択機能部２０は、端末特定情報、ユーザ認証成功情報及び予約一覧送信処理要求を受信する。次いで、サービス選択機能部２０は、受信した端末特定情報、ユーザ認証成功情報及び予約一覧送信処理要求をサービス制御機能部４０へ送信する。
【０２３５】
そして、サービス制御機能部４０は、端末特定情報、ユーザ認証成功情報及び予約一覧送信処理要求を受信すると、図５のステップＣ５０１と同様に、予約一覧情報を生成（取得）する（ステップＢ２７０１）。そして、サービス制御機能部４０は、取得した予約一覧情報をサービス選択機能部２０を介してユーザ端末２へ送信する（ステップＢ２７０２）。
【０２３６】
なお、ここでは、予約一覧取得処理における処理を例として説明したが、コンテンツ一覧取得処理についても同様である。
【０２３７】
この第４実施形態によっても、上記第１実施形態と同様の作用及び効果を奏することができる。
【０２３８】
＜第５実施形態＞
次に、本発明の第５実施形態に係るコンテンツ配信システムについて説明する。第５実施形態に係るコンテンツ配信システムは、上記第１実施形態に係るコンテンツ配信システムに対して、録画コンテンツ情報に含まれる管理者識別情報及び共有者権限情報の初期値（デフォルト値）として用いられる情報を予め記憶するように構成されている点において相違している。従って、以下、かかる相違点を中心として説明する。
【０２３９】
本例では、管理者識別情報は予約コンテンツ（録画コンテンツ情報）を管理するユーザを識別するためのユーザ識別情報を含む。また、共有者権限情報は、コンテンツを共有するユーザを識別するためのユーザ識別情報を含む。なお、管理者識別情報及び共有者権限情報からなる情報は、管理・共有ユーザ識別情報（Ａｕｔｈｏｒｉｚｅｄ  Ｃｏｎｔｒｏｌ  Ｕｓｅｒ）とも呼ばれる。管理・共有ユーザ識別情報は、任意の処理要求が、その管理・共有ユーザ識別情報により識別されるユーザによって送信された場合に、その処理要求に基づく処理の実行を許可する旨を表す。
【０２４０】
ユーザプロファイルサーバ機能部５０は、ユーザの入力に応じて設定された管理ユーザテーブルおよび共有ユーザテーブルを、端末特定情報及びユーザ識別情報と対応付けて予め記憶する。管理ユーザテーブル（又は、共有ユーザテーブル）に含まれる管理ユーザ識別情報（又は、共有ユーザ識別情報）は、１つであってもよいし、複数であってもよい。なお、管理ユーザテーブル（又は、共有ユーザテーブル）が管理ユーザ識別情報（又は、共有ユーザ識別情報）を含まない（空の情報を含む）場合には、コンテンツを管理（又は、共有）するユーザが存在しないことが表される。
【０２４１】
この第５実施形態に係るユーザ端末２は、上記第１実施形態と相違して、管理者識別情報及び共有者権限情報を含まないコンテンツ記憶処理要求と、ユーザ認証成功情報と、端末特定情報と、をコアＩＭＳ部３０へ送信する（図４のステップＡ４０２、要求送信工程）。
【０２４２】
そして、サービス制御機能部４０は、上記受信した端末特定情報及びユーザ識別情報と対応付けられた録画コンテンツテーブルに録画コンテンツ情報を追加（登録）する（ステップＣ４０２）。この録画コンテンツ情報は、受信した予約完了通知に含まれるコンテンツデータ識別情報と、受信したコンテンツ記憶処理要求に含まれるコンテンツ特定情報に含まれる放送サービス識別情報、録画開始日時及び録画終了日時と、録画状態と、を含む。更に、この録画コンテンツ情報は、上記受信した端末特定情報及びユーザ識別情報と対応付けられた管理ユーザテーブル及び共有ユーザテーブルに含まれる管理・共有ユーザ識別情報を管理者識別情報及び共有者権限情報として含む。
【０２４３】
この第５実施形態によっても、上記第１実施形態と同様の作用及び効果を奏することができる。更に、第５実施形態によれば、管理ユーザテーブル及び共有ユーザテーブルに登録された管理・共有ユーザ識別情報が、録画コンテンツ情報に含まれる管理者識別情報及び共有者権限情報の初期値として使用されるので、ユーザがコンテンツ記憶処理要求を送信する毎に管理者識別情報及び共有者権限情報を入力する手間を省くことができる。即ち、ユーザの利便性を向上させることができる。
【０２４４】
なお、第５実施形態の変形例において、サービス制御機能部４０は、ユーザ識別情報と、そのユーザ識別情報と同一のユーザ識別情報を管理者識別情報もしくは共有者権限情報として含む録画コンテンツ情報を含む録画コンテンツテーブルと対応付けられたユーザ識別情報（管理・共有権限保有ユーザ識別情報（Ｐｅｒｍｉｔｔｅｄ  Ｃｏｎｔｒｏｌ  Ｕｓｅｒ））と、を対応付けて記憶するように構成されていてもよい。
【０２４５】
この場合、権限確認部４５は、第２の条件あるいは第３の条件が成立しているか否かを判定する際に、受け付けたユーザ識別情報と対応付けられた管理・共有権限保有ユーザ識別情報を取得するように構成される。更に、権限確認部４５は、取得した管理・共有権限保有ユーザ識別情報と同一のユーザ識別情報と対応付けられた録画コンテンツテーブルに含まれる録画コンテンツ情報の少なくとも１つが、受け付けたコンテンツデータ識別情報と、受け付けたユーザ識別情報と同一のユーザ識別情報を含む管理者識別情報もしくは共有者権限情報と、を含むか否かを判定するように構成される。
【０２４６】
この変形例によれば、記憶されているすべての録画コンテンツ情報の中から、権限確認部４５が受け付けたユーザ識別情報と同一の管理・共有ユーザ識別情報を含む録画コンテンツ情報を検索する場合よりも、サービス制御機能部４０の処理負荷を軽減することができるとともに、高速に録画コンテンツ情報を検索することができる。
【０２４７】
また、第５実施形態の他の変形例において、権限確認部４５は、権限確認処理を行う際に、第２の条件に代えて第４の条件を用いるように構成されていてもよい。第４の条件は第５の条件及び第６の条件の少なくとも一方が成立した場合に成立する条件である。
【０２４８】
第５の条件は、ユーザプロファイルサーバ機能部５０に記憶されている管理ユーザテーブルが、受け付けたユーザ識別情報を管理者識別情報として含み、且つ、その管理ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報と、受け付けたユーザ識別情報と同一の管理者識別情報と、を含む、という条件である。
【０２４９】
第６の条件は、ユーザプロファイルサーバ機能部５０に記憶されている共有ユーザテーブルが、受け付けたユーザ識別情報を共有ユーザ識別情報として含み、且つ、その共有ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報と、受け付けたユーザ識別情報と同一の共有ユーザ識別情報を含む共有者権限情報と、を含む、という条件である。
【０２５０】
また、第５実施形態の他の変形例において、録画コンテンツテーブルがサービス制御機能部４０に記憶されるとともに、管理ユーザテーブル及び共有ユーザテーブルがユーザプロファイルサーバ機能部５０に記憶されていてもよい。更に、録画コンテンツテーブル、管理ユーザテーブル、及び、共有ユーザテーブルが、サービス制御機能部４０に記憶されていてもよい。また、録画コンテンツテーブルがユーザプロファイルサーバ機能部５０に記憶されるとともに、管理ユーザテーブル及び共有ユーザテーブルがサービス制御機能部４０に記憶されていてもよい。
【０２５１】
＜第６実施形態＞
次に、本発明の第６実施形態に係るコンテンツ配信システムについて説明する。第６実施形態に係るコンテンツ配信システムは、上記第１実施形態に係るコンテンツ配信システムに対して、あるユーザが登録した録画コンテンツ情報のすべてに共通した（同一の）管理者識別情報及び共有者権限情報が設定されるように構成されている点において相違している。従って、以下、かかる相違点を中心として説明する。
【０２５２】
本例では、第５実施形態と同様に、管理者識別情報は、録画コンテンツを管理するユーザを識別するためのユーザ識別情報を含む。また、共有者権限情報は、コンテンツを共有するユーザを識別するためのユーザ識別情報を含む。なお、管理者識別情報及び共有者権限情報からなる情報は、管理・共有ユーザ識別情報（Ａｕｔｈｏｒｉｚｅｄ  Ｃｏｎｔｒｏｌ  Ｕｓｅｒ）と呼ばれる。この管理・共有ユーザ識別情報は、任意の処理要求が、その管理・共有ユーザ識別情報により識別されるユーザによって送信された場合に、その処理要求に基づく処理の実行を許可する旨を表す。
【０２５３】
ユーザプロファイルサーバ機能部５０は、ユーザの入力に応じて設定された管理ユーザテーブル及び共有ユーザテーブルを、端末特定情報及びユーザ識別情報と対応付けて予め記憶する。
【０２５４】
この第６実施形態に係るユーザ端末２は、上記第１実施形態と相違して、管理者識別情報及び共有者権限情報を含まないコンテンツ記憶処理要求と、ユーザ認証成功情報と、端末特定情報と、をコアＩＭＳ部３０へ送信する（図４のステップＡ４０２、要求送信工程）。
【０２５５】
そして、サービス制御機能部４０は、上記受信した端末特定情報及び、ユーザ識別情報と対応付けられた録画コンテンツテーブルに録画コンテンツ情報を追加（登録）する（ステップＣ４０２）。この録画コンテンツ情報は、受信した予約完了通知に含まれるコンテンツデータ識別情報と、受信したコンテンツ記憶処理要求に含まれるコンテンツ特定情報に含まれる放送サービス識別情報、録画開始日時及び録画終了日時と、録画状態と、を含む。本例では、この録画コンテンツ情報は、管理者識別情報及び共有者権限情報を含まない。
【０２５６】
更に、権限確認部４５は、権限確認処理を行う際に、第２の条件に代えて第７の条件を用いるように構成される。第７の条件は第８の条件及び第９の条件の少なくとも一方が成立した場合に成立する条件である。
【０２５７】
第８の条件は、ユーザプロファイルサーバ機能部５０に記憶されている管理ユーザテーブルが、受け付けたユーザ識別情報を管理者識別情報として含み、且つ、その管理ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含む、という条件である。
【０２５８】
第９の条件は、ユーザプロファイルサーバ機能部５０に記憶されている共有ユーザテーブルが、受け付けたユーザ識別情報を共有ユーザ識別情報として含み、且つ、その共有ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含む、という条件である。
【０２５９】
この第６実施形態によっても、上記第１実施形態と同様の作用及び効果を奏することができる。更に、第６実施形態によれば、管理ユーザテーブル及び共有ユーザテーブルに登録された管理・共有ユーザ識別情報が、権限確認処理に用いられるので、ユーザがコンテンツ記憶処理要求を送信する毎に管理者識別情報及び共有者権限情報を入力する手間を省くことができる。即ち、ユーザの利便性を向上させることができる。
【０２６０】
＜第７実施形態＞
次に、本発明の第７実施形態に係るコンテンツ配信システムについて説明する。第７実施形態に係るコンテンツ配信システムは、上記第１実施形態に係るコンテンツ配信システムに対して、あるユーザが登録した録画コンテンツ情報のすべてに共通した（同一の）管理者識別情報及び共有者権限情報が設定されるとともに、コンテンツ毎にその管理者識別情報あるいは共有者権限情報を変更する情報が設定されるように構成されている点において相違している。従って、以下、かかる相違点を中心として説明する。
【０２６１】
本例では、管理者識別情報は、録画コンテンツを管理するユーザを識別するためのユーザ識別情報を含む。また、共有者権限情報は、コンテンツを共有するユーザを識別するためのユーザ識別情報を含む。管理者識別情報及び共有者権限情報からなる情報は、管理・共有ユーザ識別情報（Ａｕｔｈｏｒｉｚｅｄ  Ｃｏｎｔｒｏｌ  Ｕｓｅｒ）と呼ばれる。この管理・共有ユーザ識別情報は、任意の処理要求が、その管理・共有ユーザ識別情報（管理者識別情報又は共有ユーザ識別情報）により識別されるユーザによって送信された場合に、その処理要求に基づく処理の実行を許可する旨を表す。
【０２６２】
ユーザプロファイルサーバ機能部５０は、ユーザの入力に応じて設定された管理ユーザテーブルおよび共有ユーザテーブルを、端末特定情報及びユーザ識別情報と対応付けて予め記憶する。管理ユーザテーブル（又は、共有ユーザテーブル）に含まれる管理ユーザ識別情報（又は、共有ユーザ識別情報）は、１つであってもよいし、複数であってもよい。なお、管理ユーザテーブル（又は、共有ユーザテーブル）が管理ユーザ識別情報（又は、共有ユーザ識別情報）を含まない（空の情報を含む）場合には、コンテンツを管理（又は、共有）するユーザが存在しないことが表される。
【０２６３】
この第７実施形態に係るユーザ端末２は、上記第１実施形態と相違して、管理者識別情報及び共有者権限情報に代えて、管理者権限変更情報及び共有者権限変更情報を含むコンテンツ記憶処理要求と、ユーザ認証成功情報と、端末特定情報と、をコアＩＭＳ部３０へ送信する（図４のステップＡ４０２、要求送信工程）。管理者権限変更情報及び共有者権限変更情報は、ユーザ識別情報と、「真」又は「偽」の値を有する追加フラグと、の組からなる情報を含む。
【０２６４】
そして、サービス制御機能部４０は、上記受信した端末特定情報及びユーザ識別情報と対応付けられた録画コンテンツテーブルに録画コンテンツ情報を追加（登録）する（ステップＣ４０２）。この録画コンテンツ情報は、受信した予約完了通知に含まれるコンテンツデータ識別情報と、受信したコンテンツ記憶処理要求に含まれるコンテンツ特定情報に含まれる放送サービス識別情報、録画開始日時及び録画終了日時と、録画状態と、を含む。更に、この録画コンテンツ情報は、上記受信したコンテンツ記憶処理要求に含まれる管理者権限変更情報及び共有者権限変更情報を含む。
【０２６５】
更に、権限確認部４５は、権限確認処理を行う際に、第２の条件及び第３の条件に代えて第１０の条件を用いるように構成される。第１０の条件は、第１１の条件から第１４の条件の少なくとも一つが成立した場合に成立する条件である。
【０２６６】
第１１の条件は、ユーザプロファイルサーバ機能部５０に記憶されている管理ユーザテーブルが、受け付けたユーザ識別情報を管理者識別情報として含み、且つ、その管理ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含むとともにそのユーザ識別情報と「偽」の値を有する追加フラグとの組を管理者権限変更情報として含まない、という条件である。
【０２６７】
第１２の条件は、ユーザプロファイルサーバ機能部５０に記憶されている管理ユーザテーブルが、受け付けたユーザ識別情報を管理者識別情報として含まず、且つ、その管理ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含むとともにそのユーザ識別情報と「真」の値を有する追加フラグとの組を管理者権限変更情報として含む、という条件である。
【０２６８】
第１３の条件は、ユーザプロファイルサーバ機能部５０に記憶されている共有ユーザテーブルが、受け付けたユーザ識別情報を共有ユーザ識別情報として含み、且つ、その共有ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含むとともにそのユーザ識別情報と「偽」の値を有する追加フラグとの組を共有者権限変更情報として含まない、という条件である。
【０２６９】
第１４の条件は、ユーザプロファイルサーバ機能部５０に記憶されている共有ユーザテーブルが、受け付けたユーザ識別情報を共有ユーザ識別情報として含まず、且つ、その共有ユーザテーブルに対応付けられた端末特定情報及びユーザ識別情報と対応付けられた録画コンテンツテーブルに含まれる録画コンテンツ情報の少なくとも１つが、受け付けたコンテンツデータ識別情報を含むとともにそのユーザ識別情報と「真」の値を有する追加フラグとの組を共有者権限変更情報として含む、という条件である。
【０２７０】
この第７実施形態によっても、上記第１実施形態と同様の作用及び効果を奏することができる。更に、第７実施形態によれば、管理ユーザテーブル及び共有ユーザテーブルに登録された管理・共有ユーザ識別情報が、権限確認処理に用いられるので、ユーザがコンテンツ記憶処理要求を送信する毎に管理者識別情報及び共有者権限情報を入力する手間を省くことができる。即ち、ユーザの利便性を向上させることができる。加えて、第７実施形態によれば、録画コンテンツ情報（コンテンツ）毎に、管理者識別情報及び共有者権限情報を変更することもできるので、ユーザの利便性をより一層向上させることができる。
【０２７１】
＜第８実施形態＞
次に、本発明の第８実施形態に係るコンテンツ配信システムについて図２８を参照しながら説明する。
第８実施形態に係るコンテンツ配信システム１は、ユーザ端末２とアプリケーションサーバシステム４と接続制御システム３とを含む。
【０２７２】
ユーザ端末２の機能は、処理要求送信部１１１と、端末特定情報送信部１１２と、を含む。接続制御システム３の機能は、要求転送部１２１と、接続確立部１２２と、を含む。アプリケーションサーバシステム４の機能は、コンテンツ記憶処理部１３１と、コンテンツ配信部１３２と、を含む。
【０２７３】
端末特定情報送信部１１２は、予め記憶している情報であって端末を特定するための情報である端末特定情報を接続制御システム３へ送信する。
接続確立部１２２は、ユーザ端末２により送信された端末特定情報を受信し、当該受信した端末特定情報に基づいてアプリケーションサーバシステム４とユーザ端末２との間の接続を確立する。
コンテンツ配信部１３２は、接続制御システム３により接続が確立されたユーザ端末２へ、コンテンツを表すコンテンツデータを送信する。
【０２７４】
処理要求送信部１１１は、ユーザ端末２のユーザを識別するための情報であるユーザ識別情報と、コンテンツを特定するためのコンテンツ特定情報を含み且つ当該コンテンツを表すコンテンツデータを記憶するための処理をアプリケーションサーバシステム４に対して要求する処理要求としてのコンテンツ記憶処理要求と、を接続制御システム３へ送信する。
【０２７５】
要求転送部１２１は、ユーザ端末２により送信されたユーザ識別情報及びコンテンツ記憶処理要求を受信し、当該受信したユーザ識別情報及びコンテンツ記憶処理要求をアプリケーションサーバシステム４へ送信する。
【０２７６】
コンテンツ記憶処理部１３１は、接続制御システム３により送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行う。
【０２７７】
この第８実施形態によれば、コンテンツ配信システム１は、ユーザ識別情報とコンテンツデータとを対応付けて記憶する。従って、例えば、コンテンツデータの送信の要求を受け付けた場合に、ユーザ識別情報と対応付けて記憶されているコンテンツデータのみを送信可能とするようにアプリケーションサーバシステム４を構成することができる。この場合、あるユーザの要求に応じて記憶されたコンテンツデータが表すコンテンツが他のユーザにより視聴されることを防止することができる。
【０２７８】
この場合、上記ユーザ端末は、当該ユーザ端末のユーザにより入力されたユーザ認証用情報を上記接続制御システムへ送信するように構成され、
上記接続制御システムは、上記ユーザ端末により送信されたユーザ認証用情報を受信するように構成され、
ユーザ認証用基準情報を予め記憶するユーザ認証用基準情報記憶手段と、
上記接続制御システムにより受信されたユーザ認証用情報と、上記ユーザ認証用基準情報記憶手段により記憶されているユーザ認証用基準情報と、が対応しているか否かを判定することにより、上記受信されたユーザ識別情報により識別されるユーザが正当なユーザであるか否かを認証するユーザ認証手段と、を備え、
上記アプリケーションサーバシステムは、上記ユーザ認証手段により、上記受信されたユーザ識別情報により識別されるユーザが正当なユーザであると認証された場合に、当該ユーザ識別情報及び上記コンテンツ記憶処理要求に基づく上記処理を行うように構成されることが好適である。
【０２７９】
これによれば、アプリケーションサーバシステムは、ユーザ識別情報により識別されるユーザが正当なユーザであると認証された場合に、そのユーザ識別情報及びコンテンツ記憶処理要求に基づく処理を行う。これにより、正当でないユーザによって送信されたコンテンツ記憶処理要求に基づく処理をアプリケーションサーバシステムが行うことを防止することができる。この結果、あるユーザの要求に応じて記憶されたコンテンツデータが表すコンテンツが他のユーザにより視聴されることをより一層確実に防止することができる。
【０２８０】
この場合、
上記ユーザ端末は、当該ユーザ端末のユーザを識別するための情報であるユーザ識別情報と、上記記憶されているコンテンツデータに基づく処理を上記アプリケーションサーバシステムに対して要求する記憶コンテンツ処理要求と、を上記接続制御システムへ送信するように構成され、
上記接続制御システムは、上記ユーザ端末により送信されたユーザ識別情報及び記憶コンテンツ処理要求を受信し、当該受信したユーザ識別情報及び記憶コンテンツ処理要求を上記アプリケーションサーバシステムへ送信するように構成され、
上記アプリケーションサーバシステムは、上記接続制御システムにより送信されたユーザ識別情報及び記憶コンテンツ処理要求を受信し、当該受信したユーザ識別情報及び記憶コンテンツ処理要求に基づく処理を行うように構成されることが好適である。
【０２８１】
この場合、
上記記憶コンテンツ処理要求は、上記コンテンツを特定するためのコンテンツ特定情報を含むコンテンツ送信処理要求であり、
上記アプリケーションサーバシステムは、上記コンテンツ送信処理要求を受信した場合、当該受信したコンテンツ送信処理要求により特定されるコンテンツを表すコンテンツデータが上記受信したユーザ識別情報と対応付けて記憶されているときに当該コンテンツデータを上記ユーザ端末へ送信する上記処理を行うように構成されることが好適である。
【０２８２】
これによれば、コンテンツ配信システムは、受信したユーザ識別情報と対応付けて記憶されているコンテンツデータの送信が要求された場合に、そのユーザ識別情報を送信してきたユーザ端末へそのコンテンツデータを送信する。これにより、あるユーザの要求に応じて記憶されたコンテンツデータが表すコンテンツが他のユーザにより視聴されることを防止することができる。
【０２８３】
この場合、
上記記憶コンテンツ処理要求は、コンテンツ一覧送信処理要求であり、
上記アプリケーションサーバシステムは、上記コンテンツ一覧送信処理要求を受信した場合、上記受信したユーザ識別情報と対応付けて記憶されているコンテンツデータの一覧を表すコンテンツ一覧情報を上記ユーザ端末へ送信する上記処理を行うように構成されることが好適である。
【０２８４】
これによれば、あるユーザの要求に応じて記憶されたコンテンツデータの一覧が他のユーザにより閲覧されることを防止することができる。
【０２８５】
この場合、
上記記憶コンテンツ処理要求は、上記コンテンツを特定するためのコンテンツ特定情報を含むコンテンツ削除処理要求であり、
上記アプリケーションサーバシステムは、上記コンテンツ削除処理要求を受信した場合、当該受信したコンテンツ削除処理要求により特定されるコンテンツを表すコンテンツデータが上記受信したユーザ識別情報と対応付けて記憶されているときに当該コンテンツデータを上記記憶装置から削除する上記処理を行うように構成されることが好適である。
【０２８６】
これによれば、あるユーザの要求に応じて記憶されたコンテンツデータが他のユーザにより削除されることを防止することができる。
【０２８７】
この場合、
上記記憶コンテンツ処理要求は、コンテンツ送信中止処理要求であり、
上記アプリケーションサーバシステムは、上記コンテンツ送信中止処理要求を受信した場合、送信中のコンテンツデータが上記受信したユーザ識別情報と対応付けて記憶されているときに上記ユーザ端末への当該コンテンツデータの送信を中止する上記処理を行うように構成されることが好適である。
【０２８８】
この場合、
上記アプリケーションサーバシステムは、外部から上記コンテンツデータを受信し、当該受信したコンテンツデータを上記記憶装置に記憶させるように構成され、
上記記憶コンテンツ処理要求は、コンテンツ記憶中止処理要求であり、
上記アプリケーションサーバシステムは、上記コンテンツ記憶中止処理要求を受信した場合、コンテンツデータの一部が上記受信したユーザ識別情報と対応付けて記憶されているときに当該コンテンツデータを上記記憶装置に記憶させる上記処理を中止するように構成されることが好適である。
【０２８９】
この場合、
上記コンテンツ特定情報は、上記コンテンツデータの記憶を開始する記憶開始日時と、上記コンテンツデータの記憶を終了する記憶終了日時と、を含み、
上記アプリケーションサーバシステムは、上記コンテンツ記憶処理要求を受信した場合に、当該受信したコンテンツ記憶処理要求に含まれる記憶開始日時及び記憶終了日時を含む予約情報と、上記受信されたユーザ識別情報と、を対応付けて上記記憶装置に記憶させるように構成されることが好適である。
【０２９０】
この場合、
上記ユーザ端末は、上記ユーザ識別情報と、上記記憶されている予約情報に基づく処理を上記アプリケーションサーバシステムに対して要求する予約一覧送信処理要求と、を上記接続制御システムへ送信するように構成され、
上記接続制御システムは、上記ユーザ端末により送信されたユーザ識別情報及び予約一覧送信処理要求を受信し、当該受信したユーザ識別情報及び予約一覧送信処理要求を上記アプリケーションサーバシステムへ送信するように構成され、
上記アプリケーションサーバシステムは、上記接続制御システムにより送信されたユーザ識別情報及び予約一覧送信処理要求を受信し、上記記憶されている予約情報のうちの、上記受信したユーザ識別情報と対応付けられた予約情報の一覧を表す予約一覧情報を上記ユーザ端末へ送信する処理を行うように構成されることが好適である。
【０２９１】
この場合、
上記ユーザ端末は、上記ユーザ識別情報と、上記記憶されている予約情報を特定する予約情報特定情報及び当該予約情報の編集内容を表す編集内容情報を含む予約編集処理要求と、を上記接続制御システムへ送信するように構成され、
上記接続制御システムは、上記ユーザ端末により送信されたユーザ識別情報及び予約編集処理要求を受信し、当該受信したユーザ識別情報及び予約編集処理要求を上記アプリケーションサーバシステムへ送信するように構成され、
上記アプリケーションサーバシステムは、上記接続制御システムにより送信されたユーザ識別情報及び予約編集処理要求を受信し、上記記憶されている予約情報のうちの当該受信した予約編集処理要求により特定される予約情報と上記受信したユーザ識別情報とが対応付けられているときに、当該受信した予約編集処理要求に含まれる編集内容情報に基づいて当該予約情報を編集する処理を行うように構成されることが好適である。
【０２９２】
この場合、前記アプリケーションサーバシステムは、
前記記憶されているコンテンツデータを共有するユーザを識別するための共有ユーザ識別情報を、当該コンテンツデータと対応付けて記憶するように構成され、更に、
上記受信した記憶コンテンツ処理要求に基づく処理の対象となるコンテンツデータと、上記受信したユーザ識別情報と同一の、ユーザ識別情報又は共有ユーザ識別情報と、が対応付けて記憶されている場合、当該処理を行うように構成されることが好適である。
【０２９３】
これによれば、コンテンツ配信システムは、第１のユーザから記憶コンテンツ処理要求を受け付けた場合において、その記憶コンテンツ処理要求に基づく処理の対象となるコンテンツデータが第２のユーザの要求に応じて記憶されたデータであっても、第１のユーザと共有することが設定されている場合には、そのコンテンツデータに対する処理を行う。この結果、例えば、第２のユーザによって記憶されたコンテンツデータが表すコンテンツを、第１のユーザ及び第２のユーザ（特定のユーザ）のみに視聴させることができる。即ち、ユーザの利便性を向上させることができる。
【０２９４】
また、本発明の他の形態であるコンテンツ配信システムは、
ユーザ端末（Ｕｓｅｒ  Ｅｑｕｉｐｍｅｎｔ）とアプリケーションサーバシステムと接続制御システムとを含み、
上記ユーザ端末は、予め記憶している情報であって端末を特定するための情報である端末特定情報を上記接続制御システムへ送信するように構成され、
上記接続制御システムは、上記ユーザ端末により送信された端末特定情報を受信し当該受信した端末特定情報に基づいて上記アプリケーションサーバシステムと上記ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
上記アプリケーションサーバシステムは、
上記接続制御システムにより接続が確立された上記ユーザ端末へ、コンテンツを表すコンテンツデータを送信するメディア機能部（Ｍｅｄｉａ  Ｆｕｎｃｔｉｏｎｓ）と、
上記メディア機能部により提供されるサービスを制御するサービス制御機能部（Ｓｅｒｖｉｃｅ  Ｃｏｎｔｒｏｌ  Ｆｕｎｃｔｉｏｎｓ）と、
上記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備える。
【０２９５】
更に、上記ユーザ端末は、当該ユーザ端末のユーザを識別するための情報であるユーザ識別情報と、上記コンテンツを特定するためのコンテンツ特定情報を含み且つ当該コンテンツを表すコンテンツデータを記憶するための処理を上記アプリケーションサーバシステムに対して要求する処理要求としてのコンテンツ記憶処理要求と、を上記コアＩＭＳ部へ送信するように構成され、
上記コアＩＭＳ部は、上記ユーザ端末により送信されたユーザ識別情報及びコンテンツ記憶処理要求を受信し、当該受信したユーザ識別情報及びコンテンツ記憶処理要求を上記アプリケーションサーバシステムへ送信するように構成され、
上記アプリケーションサーバシステムは、上記コアＩＭＳ部により送信されたユーザ識別情報及びコンテンツ記憶処理要求を受信するように構成され、
上記メディア機能部は、上記コンテンツデータを記憶するように構成され、
上記サービス制御機能部は、上記受信されたユーザ識別情報と、上記メディア機能部により記憶されているコンテンツデータのうちの上記受信されたコンテンツ記憶処理要求により特定されるコンテンツを表すコンテンツデータを識別するためのコンテンツデータ識別情報と、を対応付けて上記ユーザプロファイルサーバ機能部に記憶させる処理を行うように構成される。
【０２９６】
この場合、
上記ユーザ端末は、当該ユーザ端末のユーザにより入力されたユーザ認証用情報を上記コアＩＭＳ部へ送信するように構成され、
上記コアＩＭＳ部は、上記ユーザ端末により送信されたユーザ認証用情報を受信するように構成され、
上記コアＩＭＳ部又は上記ユーザプロファイルサーバ機能部は、ユーザ認証用基準情報を予め記憶するように構成され、
上記コアＩＭＳ部又は上記サービス制御機能部は、上記コアＩＭＳ部により受信されたユーザ認証用情報と、上記記憶されているユーザ認証用基準情報と、が対応しているか否かを判定することにより、上記受信されたユーザ識別情報により識別されるユーザが正当なユーザであるか否かを認証するように構成され、
上記サービス制御機能部は、上記受信されたユーザ識別情報により識別されるユーザが正当なユーザであると認証された場合に、当該ユーザ識別情報及び上記コンテンツ記憶処理要求に基づく上記処理を行うように構成されることが好適である。
【０２９７】
この場合、
上記サービス制御機能部は、上記コアＩＭＳ部により送信されたユーザ識別情報及びコンテンツ記憶処理要求を受信し、当該受信したコンテンツ記憶処理要求に応じてコンテンツ記憶処理指示を上記コアＩＭＳ部へ送信するように構成され、
上記コアＩＭＳ部は、上記サービス制御機能部により送信されたコンテンツ記憶処理指示を受信し、当該受信したコンテンツ記憶処理指示を上記メディア機能部へ送信するように構成され、
上記メディア機能部は、上記コアＩＭＳ部により送信されたコンテンツ記憶処理指示を受信し、当該受信したコンテンツ記憶処理指示により特定されるコンテンツを表すコンテンツデータを記憶するように構成され、
上記サービス制御機能部は、上記受信されたユーザ識別情報と、上記メディア機能部により記憶されているコンテンツデータのうちの上記受信されたコンテンツ記憶処理要求により特定されるコンテンツを表すコンテンツデータを識別するためのコンテンツデータ識別情報と、を対応付けて上記ユーザプロファイルサーバ機能部に記憶させるように構成されることが好適である。
【０２９８】
また、上記コンテンツ配信システムの他の態様において、
上記サービス制御機能部は、上記コアＩＭＳ部により送信されたユーザ識別情報及びコンテンツ記憶処理要求を受信し、当該受信したコンテンツ記憶処理要求をコンテンツ記憶処理指示として上記メディア機能部へ送信するように構成され、
上記メディア機能部は、上記サービス制御機能部により送信されたコンテンツ記憶処理指示を受信し、当該受信したコンテンツ記憶処理指示により特定されるコンテンツを表すコンテンツデータを記憶するように構成され、
上記サービス制御機能部は、上記受信されたユーザ識別情報と、上記メディア機能部により記憶されているコンテンツデータのうちの上記受信されたコンテンツ記憶処理要求により特定されるコンテンツを表すコンテンツデータを識別するためのコンテンツデータ識別情報と、を対応付けて上記ユーザプロファイルサーバ機能部に記憶させるように構成されることが好適である。
【０２９９】
また、本発明の他の形態であるコンテンツ配信方法は、
ユーザ端末が、予め記憶している情報であって端末を特定するための情報である端末特定情報を接続制御システムへ送信し、
上記接続制御システムが、上記ユーザ端末により送信された端末特定情報を受信し当該受信した端末特定情報に基づいてアプリケーションサーバシステムと当該ユーザ端末との間の接続を確立し、
上記アプリケーションサーバシステムが、上記接続制御システムにより接続が確立された上記ユーザ端末へ、コンテンツを表すコンテンツデータを送信するとともに、
更に、
上記ユーザ端末が、当該ユーザ端末のユーザを識別するための情報であるユーザ識別情報と、上記コンテンツを特定するためのコンテンツ特定情報を含み且つ当該コンテンツを表すコンテンツデータを記憶するための処理を上記アプリケーションサーバシステムに対して要求する処理要求としてのコンテンツ記憶処理要求と、を上記接続制御システムへ送信し、
上記接続制御システムが、上記ユーザ端末により送信されたユーザ識別情報及びコンテンツ記憶処理要求を受信し、当該受信したユーザ識別情報及びコンテンツ記憶処理要求を上記アプリケーションサーバシステムへ送信し、
上記アプリケーションサーバシステムが、上記接続制御システムにより送信されたユーザ識別情報及びコンテンツ記憶処理要求を受信し、当該受信したユーザ識別情報と、当該受信したコンテンツ記憶処理要求により特定されるコンテンツを表すコンテンツデータと、を対応付けて記憶装置に記憶させる処理を行う方法である。
【０３００】
この場合、上記コンテンツ配信方法は、
上記ユーザ端末が、当該ユーザ端末のユーザにより入力されたユーザ認証用情報を上記接続制御システムへ送信し、
上記接続制御システムが、上記ユーザ端末により送信されたユーザ認証用情報を受信し、
予め記憶されたユーザ認証用基準情報と、上記接続制御システムにより受信されたユーザ認証用情報と、が対応しているか否かを判定することにより、上記受信されたユーザ識別情報により識別されるユーザが正当なユーザであるか否かを認証し、
上記受信されたユーザ識別情報により識別されるユーザが正当なユーザであると認証された場合に、当該ユーザ識別情報及び上記コンテンツ記憶処理要求に基づく上記処理を行うことが好適である。
【０３０１】
また、本発明の他の形態であるアプリケーションサーバシステムは、
接続制御システムによってユーザ端末との間の接続が確立された場合に、当該ユーザ端末へ、コンテンツを表すコンテンツデータを送信するコンテンツ配信手段と、
上記ユーザ端末のユーザを識別するためのユーザ識別情報と、上記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から上記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を備える。
【０３０２】
この場合、
上記アプリケーションサーバシステムは、
上記ユーザ端末のユーザにより入力されたユーザ認証用情報を当該ユーザ端末から上記接続制御システムを介して受信し、当該受信したユーザ認証用情報と、予め記憶されたユーザ認証用基準情報と、が対応しているか否かを判定することにより、上記受信したユーザ識別情報により識別されるユーザが正当なユーザであるか否かを認証するユーザ認証手段を備え、
上記コンテンツ記憶処理手段は、上記ユーザ認証手段により、上記受信されたユーザ識別情報により識別されるユーザが正当なユーザであると認証された場合に、当該ユーザ識別情報及び上記コンテンツ記憶処理要求に基づく上記処理を行うように構成されることが好適である。
【０３０３】
また、本発明の他の形態であるプログラムは、
アプリケーションサーバシステムに、
接続制御システムによってユーザ端末との間の接続が確立された場合に、当該ユーザ端末へ、コンテンツを表すコンテンツデータを送信するコンテンツ配信手段と、
上記ユーザ端末のユーザを識別するためのユーザ識別情報と、上記コンテンツを特定するためのコンテンツ特定情報を含み且つ当該コンテンツを表すコンテンツデータを記憶するための処理を要求する処理要求としてのコンテンツ記憶処理要求と、を当該ユーザ端末から上記接続制御システムを介して受信し、当該受信したユーザ識別情報と、当該受信したコンテンツ記憶処理要求により特定されるコンテンツを表すコンテンツデータと、を対応付けて記憶装置に記憶させる処理を行うコンテンツ記憶処理手段と、
を実現させるためのプログラムである。
【０３０４】
この場合、上記プログラムは、
上記アプリケーションサーバシステムに、更に、
上記ユーザ端末のユーザにより入力されたユーザ認証用情報を当該ユーザ端末から上記接続制御システムを介して受信し、当該受信したユーザ認証用情報と、予め記憶されたユーザ認証用基準情報と、が対応しているか否かを判定することにより、上記受信したユーザ識別情報により識別されるユーザが正当なユーザであるか否かを認証するユーザ認証手段を実現させるとともに、
上記コンテンツ記憶処理手段は、上記ユーザ認証手段により、上記受信されたユーザ識別情報により識別されるユーザが正当なユーザであると認証された場合に、当該ユーザ識別情報及び上記コンテンツ記憶処理要求に基づく上記処理を行うように構成されることが好適である。
【０３０５】
上述した構成を有する、コンテンツ配信方法、アプリケーションサーバシステム、又は、プログラム、の発明であっても、上記コンテンツ配信システムと同様の作用を有するために、上述した本発明の目的を達成することができる。
【０３０６】
以上、上記各実施形態を参照して本願発明を説明したが、本願発明は、上述した実施形態に限定されるものではない。本願発明の構成及び詳細に、本願発明の範囲内において当業者が理解し得る様々な変更をすることができる。
【０３０７】
例えば、上記各実施形態においては、録画コンテンツテーブル、予約テーブル、及び、共有ユーザテーブルは、端末特定情報及びユーザ識別情報と対応付けて記憶されていたが、ユーザ識別情報のみと対応付けて記憶されていてもよい。この場合、権限確認部４５は、端末特定情報に基づくことなく、受け付けたユーザ識別情報、コンテンツデータ識別情報、及び、処理要求特定情報に基づいて権限確認処理を行うことが好適である。
【０３０８】
また、録画コンテンツテーブル、予約テーブル、管理ユーザテーブル、及び、共有ユーザテーブルは、端末特定情報、ユーザ識別情報及び回線識別情報と対応付けて記憶されていてもよい。回線識別情報は、ユーザ端末２と接続制御システム３との間の通信回線を識別するための情報である。この場合、権限確認部４５は、受け付けたユーザ識別情報、端末特定情報、回線識別情報、コンテンツデータ識別情報、及び、処理要求特定情報に基づいて権限確認処理を行うことが好適である。
【０３０９】
また、上記各実施形態の変形例は、サービス制御サーバ４ａ及びメディアサーバ４ｂに代えて、サービス制御サーバ４ａ及びメディアサーバ４ｂの両方の機能を有するサーバを備えていてもよい。
【０３１０】
また、上記各実施形態においては、メディアサーバ４ｂがメディア制御機能部６０及びメディア配信機能部７０を有していたが、第１のサーバがメディア制御機能部６０を有するとともに第２のサーバがメディア配信機能部７０を有していてもよい。
【０３１１】
更に、上記各実施形態の変形例において、アプリケーションサーバシステム４がポータルサーバ５を含んでいてもよい。更に、サービス制御サーバ４ａ又はメディアサーバ４ｂがポータルサーバ５の機能を有していてもよい。
【０３１２】
また、上記各実施形態の変形例は、メディア配信機能部７０を有するサーバを複数備えていてもよい。
【０３１３】
また、上記各実施形態の変形例において、接続制御システム３は、複数の接続制御サーバ（接続制御サーバ３ａ，３ｂ等）を含んでいたが、１つの接続制御サーバのみを含んでいてもよい。
【０３１４】
なお、上記各実施形態において、ユーザ端末２は、セットトップボックスであったが、携帯電話装置、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、パーソナル・コンピュータ等であってもよい。
また、上記各実施形態において、コンテンツは動画であったが、映像のみ又は音声のみであってもよい。
【０３１５】
なお、上記各実施形態における録画コンテンツテーブルは、所定の条件が成立した場合（例えば、予め設定された時間が経過した場合、又は、予め設定された容量を超えた場合）に消去される情報（一時情報（Ａｃｔｉｏｎ  Ｄａｔａ））として記憶されていてもよく、コンテンツ配信システム１の管理者又はユーザの指示によってのみ編集（追加、変更又は消去）される情報（保存情報（Ｕｓｅｒ  Ｐｒｏｆｉｌｅ））として記憶されていてもよい。また、上記各実施形態における共有ユーザテーブルも、一時情報として記憶されていてもよく、保存情報として記憶されていてもよい。
【０３１６】
また、上記各実施形態においては、コンテンツ配信システム１の構成要素は、ＩＭＳ（ＩＰ  Ｍｕｌｔｉｍｅｄｉａ  Ｓｕｂｓｙｓｔｅｍ）を構成する構成要素として表現されていたが、ＭＭＳ（Ｍｕｌｔｉｍｅｄｉａ  Ｍｅｓｓａｇｉｎｇ  Ｓｅｒｖｉｃｅ）を構成する構成要素として表現されていてもよい。
【０３１７】
なお、本発明は、日本国にて２００８年９月１０日に出願された特願２００８−２３１７６１の特許出願に基づく優先権主張の利益を享受するものであり、当該特許出願にて開示された内容のすべてが本明細書に含まれるものとする。
【産業上の利用可能性】
【０３１８】
本発明は、ＩＰ網を介してコンテンツを配信するビデオオンデマンドシステム、及び、ＩＰ網を介してテレビ放送を行うＩＰＴＶシステム等に適用可能である。
【符号の説明】
【０３１９】
１      コンテンツ配信システム
２      ユーザ端末
３      接続制御システム
３ａ    接続制御サーバ
３ｂ    接続制御サーバ
４      アプリケーションサーバシステム
４ａ    サービス制御サーバ
４ｂ    メディアサーバ
５      ポータルサーバ
１１    要求送信部
２０    サービス選択機能部
２１    ポータル画面送信部
２２    予約抽出部
２３    コンテンツ抽出部
３０    コアＩＭＳ部
３１    呼接続制御部
３２    ＩＭＳ認証部
４０    サービス制御機能部
４１    情報送受信部
４２    予約更新部
４３    予約抽出部
４４    コンテンツ抽出部
４５    権限確認部
４６    録画状態更新部
４７    配信要求部
４８    録画制御部
５０    ユーザプロファイルサーバ機能部
６０    メディア制御機能部
６１    情報送受信部
６２    予約更新部
６３    予約情報記憶部
６４    録画制御部
６５    コンテンツ配信制御部
６６    受信要求部
７０    メディア配信機能部
７１    コンテンツ配信部
８０    トランスポート機能部
８１    帯域確保部
１１１  処理要求送信部
１１２  端末特定情報送信部
１２１  要求転送部
１２２  接続確立部
１３１  コンテンツ記憶処理部
１３２  コンテンツ配信部
ＢＣＳ  放送サービス部
ＣＲ    コンテンツ記憶部
ＮＷ１  ユーザ側通信回線
ＮＷ２  サービス提供者側通信回線
【図１】
2010029674.tif 000003
【図２】
2010029674.tif 000004
【図３】
2010029674.tif 000005
【図４】
2010029674.tif 000006
【図５】
2010029674.tif 000007
【図６】
2010029674.tif 000008
【図７】
2010029674.tif 000009
【図８】
2010029674.tif 000010
【図９】
2010029674.tif 000011
【図１０】
2010029674.tif 000012
【図１１】
2010029674.tif 000013
【図１２】
2010029674.tif 000014
【図１３】
2010029674.tif 000015
【図１４】
2010029674.tif 000016
【図１５】
2010029674.tif 000017
【図１６】
2010029674.tif 000018
【図１７】
2010029674.tif 000019
【図１８】
2010029674.tif 000020
【図１９】
2010029674.tif 000021
【図２０】
2010029674.tif 000022
【図２１】
2010029674.tif 000023
【図２２】
2010029674.tif 000024
【図２３】
2010029674.tif 000025
【図２４】
2010029674.tif 000026
【図２５】
2010029674.tif 000027
【図２６】
2010029674.tif 000028
【図２７】
2010029674.tif 000029
【図２８】
2010029674.tif 000030
【国際調査報告】
2010029674.tif 000031
2010029674.tif 000032